(57)【要約】メディアオブジェクト特性を使用してインプレッションを収集するための方法及び装置が開示される。開示された例示的な方法は、クライアントデバイスで提示されたコレクタメディアオブジェクトに関連付けられた第１の命令に基づいて、コレクタメディアオブジェクトの第１の特性を収集し、コレクタメディアオブジェクトと同時にクライアントデバイスで提示される、複数の第２のメディアオブジェクトに対応する第２の特性を収集するステップを含む。例示的な方法は、コレクタメディアオブジェクトに関連付けられた第２の命令に基づいて、第１及び第２の特性と、クライアントデバイスに関連付けられた識別子とを、１回の通知で視聴者測定エンティティへ送信することによって、コレクタメディアオブジェクトと第２のメディアオブジェクトとに対応する複数のインプレッションを報告するステップをさらに含む。【選択図】  図１
2017504869.tif 000002
【特許請求の範囲】
【請求項１】
クライアントデバイスで提示されたコレクタメディアオブジェクトに関連付けられた第１の命令に基づいて、前記コレクタメディアオブジェクトの第１の特性を収集し、前記コレクタメディアオブジェクトと同時に前記クライアントデバイスで提示される複数の第２のメディアオブジェクトに対応する複数の第２の特性を収集するステップと、
前記コレクタメディアオブジェクトに関連付けられた第２の命令に基づいて、前記第１及び第２の特性と、前記クライアントデバイスに関連付けられた識別子とを、１回の通知で視聴者測定エンティティへ送信することによって、前記コレクタメディアオブジェクトと前記第２のメディアオブジェクトとに対応する複数のインプレッションを報告するステップと、
を含む、方法。
【請求項２】
前記クライアントデバイスに関連付けられた人口統計情報を要求するために第２の通知をデータベース所有者へ送信するステップをさらに含む、請求項１に記載の方法。
【請求項３】
前記第２の通知を前記データベース所有者へ送信する前記ステップは、前記コレクタメディアオブジェクト内にあるルールに基づく、請求項２に記載の方法。
【請求項４】
前記第２の通知を前記データベース所有者へ送信する前記ステップは、前記クライアントデバイスで受信されたリダイレクト要求内にある、前記データベース所有者のアドレスに基づく、請求項２に記載の方法。
【請求項５】
前記識別子が、前記視聴者測定エンティティに対応する第１のクッキーであり、
前記第２の通知を送信する前記ステップは、前記第２の通知で、前記データベース所有者に対応する第２のクッキーを送信するステップを含む、請求項２に記載の方法。
【請求項６】
前記データベース所有者が、ソーシャルネットワークサービスである、請求項２に記載の方法。
【請求項７】
前記第１の特性は、前記コレクタメディアオブジェクト内でエンコードされた第１のメタデータであり、前記第２の特性は、前記第２のメディアオブジェクト内でエンコードされた第２のメタデータ、又は前記第２のメディアオブジェクトに基づいて生成された署名、のうちの少なくとも１つである、請求項１に記載の方法。
【請求項８】
前記第２の特性は、前記第２のメディアオブジェクトの署名であり、前記署名を収集する前記ステップは、画面キャプチャを実行するステップと、前記第２のメディアオブジェクトの対応する画像に基づいて前記署名を生成するステップと、を含む、請求項１に記載の方法。
【請求項９】
前記コレクタメディアオブジェクト内にある前記第２の命令に基づいて、前記コレクタメディアオブジェクト及び前記第２のメディアオブジェクトのホストウェブサイトのユニフォームリソースロケータを、前記視聴者測定エンティティへ送信するステップをさらに含む、請求項１に記載の方法。
【請求項１０】
前記コレクタメディアオブジェクト及び前記第２のメディアオブジェクトのうちのそれぞれが、広告、映像、又は音声のうちの少なくとも１つを含む、請求項１に記載の方法。
【請求項１１】
クライアントデバイスで提示されたコレクタメディアオブジェクトから通知を受信するステップであって、前記通知は、前記コレクタメディアオブジェクトに対応する第１の特性と、前記クライアントデバイスで前記コレクタメディアオブジェクトと同時に提示された複数の第２のメディアオブジェクトにそれぞれ対応する複数の第２の特性と、を含む、ステップと、
データベース所有者から人口統計情報を受信するステップと、
前記クライアントデバイスからの同じ前記通知で受信される前記第１及び第２の特性に基づいて、前記人口統計情報を前記第１及び第２の特性に関連付けるステップと、
を含む、方法。
【請求項１２】
前記コレクタメディアオブジェクト及び前記第２のメディアオブジェクトが、前記クライアントデバイスでレンダリングされたウェブベージに提示される、請求項１１に記載の方法。
【請求項１３】
前記クライアントデバイスが、コンピュータ、テレビ、タブレット、又は携帯電話のうちの少なくとも１つである、請求項１１に記載の方法。
【請求項１４】
前記コレクタメディアオブジェクト及び前記第２のメディアオブジェクトのうちのそれぞれが、広告、映像、又は音声のうちの少なくとも１つを含む、請求項１１に記載の方法。
【請求項１５】
データベース所有者に、前記クライアントデバイスに対応する人口統計情報を要求するステップと、
前記データベース所有者から、ハイパーテキスト転送プロトコル要求内のパラメータの一部として、要求された前記人口統計情報を受信するステップと、
をさらに含む、請求項１１に記載の方法。
【請求項１６】
前記クライアントデバイスからの前記通知で、第１の識別子を受信するステップであって、前記第１の識別子が視聴者測定エンティティに対応する、ステップと、
リダイレクト要求を前記クライアントデバイスへ送信するステップであって、前記リダイレクト要求は、前記クライアントデバイスに対して、データベース所有者に対応する第２の識別子を含む第２の通知を前記データベース所有者へ送信させるように命令する、ステップと、
をさらに含む、請求項１１に記載の方法。
【請求項１７】
前記第１の識別子は、第１のインターネットドメインにある前記視聴者測定エンティティに対応する第１のクッキーであり、前記第２の識別子は、第２のインターネットドメインにある前記データベース所有者に対応する第２のクッキーである、請求項１６に記載の方法。
【請求項１８】
前記コレクタメディアオブジェクト及び前記第２のメディアオブジェクトに対応するメディアに対するインプレッションのログをとるステップをさらに含み、
同じ前記通知で受信される前記第１及び第２の特性に基づいて、前記人口統計情報を前記第１及び第２の特性に関連付ける前記ステップは、前記人口統計情報を、前記ログがとられたインプレッションに関連付けるステップを含む、請求項１１に記載の方法。
【請求項１９】
命令を含む有形のコンピュータ可読記憶媒体であって、前記命令が、実行されると、マシンに対して、少なくとも、
クライアントデバイスで提示されたコレクタメディアオブジェクトに関連付けられた第１の命令に基づいて、前記コレクタメディアオブジェクトの第１の特性を収集し、前記コレクタメディアオブジェクトと同時に前記クライアントデバイスで提示される複数の第２のメディアオブジェクトに対応する複数の第２の特性を収集するステップと、
前記コレクタメディアオブジェクトに関連付けられた第２の命令に基づいて、前記第１及び第２の特性と、前記クライアントデバイスに関連付けられた識別子とを、１回の通知で視聴者測定エンティティへ送信することによって、前記コレクタメディアオブジェクトと前記第２のメディアオブジェクとに対応する複数のインプレッションを報告するステップと、
を実行させる、有形のコンピュータ可読記憶媒体。
【請求項２０】
前記命令は、前記マシンに、前記クライアントデバイスに関連付けられた人口統計情報を要求するために第２の通知をデータベース所有者へ送信するステップ、をさらに実行させる、請求項１９に記載の有形のコンピュータ可読記憶媒体。
【請求項２１】
前記第２の通知を前記データベース所有者へ送信するステップは、前記コレクタメディアオブジェクト内にあるルールに基づく、請求項２０に記載の有形のコンピュータ可読記憶媒体。
【請求項２２】
前記第２の通知を前記データベース所有者へ送信するステップは、前記クライアントデバイスで受信されたリダイレクト要求内にある、前記データベース所有者のアドレスに基づく、請求項２０に記載の有形のコンピュータ可読記憶媒体。
【請求項２３】
前記識別子が、前記視聴者測定エンティティに対応する第１のクッキーであり、
前記第２の通知を送信するステップは、前記第２の通知で、前記データベース所有者に対応する第２のクッキーを送信するステップを含む、請求項２０に記載の有形のコンピュータ可読記憶媒体。
【請求項２４】
前記データベース所有者が、ソーシャルネットワークサービスである、請求項２０に記載の有形のコンピュータ可読記憶媒体。
【請求項２５】
前記第１の特性は、前記コレクタメディアオブジェクト内でエンコードされた第１のメタデータであり、前記第２の特性は、前記第２のメディアオブジェクト内でエンコードされた第２のメタデータ、又は前記第２のメディアオブジェクトに基づいて生成された署名、のうちの少なくとも１つである、請求項１９に記載の有形のコンピュータ可読記憶媒体。
【請求項２６】
前記第２の特性は、前記第２のメディアオブジェクトの署名であり、前記署名を収集するステップは、画面キャプチャを実行するステップと、前記第２のメディアオブジェクトの対応する画像に基づいて、前記署名を生成するステップと、を含む、請求項１９に記載の有形のコンピュータ可読記憶媒体。
【請求項２７】
前記命令が、前記マシンに、前記コレクタメディアオブジェクト内にある前記第２の命令に基づいて、前記コレクタメディアオブジェクト及び前記第２のメディアオブジェクトのホストウェブサイトのユニフォームリソースロケータを、前記視聴者測定エンティティへ送信するステップ、をさらに実行させる、請求項１９に記載の有形のコンピュータ可読記憶媒体。
【請求項２８】
前記コレクタメディアオブジェクト及び前記第２のメディアオブジェクトのうちのそれぞれが、広告、映像、又は音声のうちの少なくとも１つを含む、請求項１９に記載の有形のコンピュータ可読記憶媒体。
【請求項２９】
命令を含む有形のコンピュータ可読記憶媒体であって、前記命令が、実行されると、マシンに対して、少なくとも、
クライアントデバイスで提示されたコレクタメディアオブジェクトから、通知を受信するステップであって、前記通知は、前記コレクタメディアオブジェクトに対応する第１の特性と、前記クライアントデバイスで前記コレクタメディアオブジェクトと同時に提示された複数の第２のメディアオブジェクトにそれぞれ対応する複数の第２の特性と、を含む、受信するステップと、
データベース所有者から人口統計情報を受信するステップと、
前記クライアントデバイスからの同じ前記通知で受信される前記第１及び第２の特性に基づいて、前記人口統計情報を前記第１及び第２の特性に関連付けるステップと、
を実行させる、有形のコンピュータ可読記憶媒体。
【請求項３０】
前記コレクタメディアオブジェクト及び前記第２のメディアオブジェクトが、前記クライアントデバイスでレンダリングされたウェブページに提示される、請求項２９に記載の有形のコンピュータ可読記憶媒体。
【請求項３１】
前記クライアントデバイスが、コンピュータ、テレビ、タブレット、又は携帯電話のうちの少なくとも１つである、請求項２９に記載の有形のコンピュータ可読記憶媒体。
【請求項３２】
前記コレクタメディアオブジェクト及び前記第２のメディアオブジェクトのうちのそれぞれが、広告、映像、又は音声のうちの少なくとも１つを備える、請求項２９に記載の有形のコンピュータ可読記憶媒体。
【請求項３３】
前記命令が、前記マシンに対して、
データベース所有者に、前記クライアントデバイスに対応する人口統計情報を要求するステップと、
前記データベース所有者から、ハイパーテキスト転送プロトコル要求内のパラメータの一部として、要求された前記人口統計情報を受信するステップと
をさらに実行させる、請求項２９に記載の有形のコンピュータ可読記憶媒体。
【請求項３４】
前記命令が、前記マシンに対して、
前記クライアントデバイスからの前記通知で、第１の識別子を受信することであって、前記第１の識別子が視聴者測定エンティティに対応する、ステップと、
リダイレクト要求を前記クライアントデバイスへ送信するステップであって、前記リダイレクト要求は、前記クライアントデバイスに対して、前記データベース所有者に対応する第２の識別子を含む第２の通知を、データベース所有者へ送信させるように命令する、ステップと、
をさらに実行させる、請求項２９に記載の有形のコンピュータ可読記憶媒体。
【請求項３５】
前記第１の識別子は、第１のインターネットドメインにある前記視聴者測定エンティティに対応する第１のクッキーであり、前記第２の識別子は、第２のインターネットドメインにある前記データベース所有者に対応する第２のクッキーである、請求項３４に記載の有形のコンピュータ可読記憶媒体。
【請求項３６】
前記命令は、前記マシンに対して、前記コレクタメディアオブジェクト及び前記第２のメディアオブジェクトに対応するメディアに対するインプレッションのログをとるステップ、をさらに実行させ、
同じ前記通知で受信される前記第１及び第２の特性に基づいて、前記人口統計情報を前記第１及び第２の特性に関連付けるステップは、前記人口統計情報を、前記ログがとられたインプレッションに関連付けるステップを含む、請求項２９に記載の有形のコンピュータ可読記憶媒体。
【発明の詳細な説明】
【関連出願】
【０００１】
[0001]本出願は、参照によりその全体が本明細書に組み込まれている、２０１３年１２月２３日に出願された米国特許仮出願第６１／９２０，０４８号の優先権を主張するものである。
【開示の分野】
【０００２】
[0002]本開示は、概して、メディアをモニタすることに関し、より詳細には、メディアオブジェクト特性を使用して、メディアを測定するための方法及び装置に関する。
【背景】
【０００３】
[0003]従来、視聴者測定エンティティは、登録されたパネルメンバに基づいて、メディアプログラミングに対する視聴者関与レベルを測定する。すなわち、視聴者測定エンティティは、モニタされることに同意する人々を、パネルに登録する。視聴者測定エンティティは、次に、それらのパネルメンバをモニタし、それらのパネルメンバに露出されたメディアプログラム（例えば、テレビ番組又はラジオ番組、映画、ＤＶＤなど）を測定する。このようにして、視聴者測定エンティティは、収集されたメディア測定データに基づいて、様々なメディアに対する露出メトリックを確定することができる。
【０００４】
[0004]ウェブページ、広告及び／又はその他のインターネットによってアクセス可能なメディアなどのインターネットリソースへのユーザアクセスをモニタする技術は、ここ数年で著しく進化した。いくつかの知られているシステムでは、このようなモニタリングを、主にサーバログを通して行う。特に、インターネットにおいてメディアを配信するエンティティは、知られている技術を使用して、自分のサーバで、自分のメディア（例えば、コンテンツ及び／又は広告）に対して受信された要求の数のログをとることができる。
【図面の簡単な説明】
【０００５】
【図１】[0005]図１は、複数のメディアオブジェクトを提示している、例示的なクライアントデバイスユーザインタフェースを示す図である。
【０００６】
【図２】[0006]図２は、図１のメディアオブジェクトの特性、及び多数のデータベース所有者にわたって分散されている人口統計情報に基づいて、メディアインプレッションをユーザ人口統計情報に関連付けるために使用されてもよい、例示的なシステムを示す図である。
【０００７】
【図３】[0007]図３は、ユーザにその他のメディアを提示する機会を作るとして特定されたメディアオブジェクトに、原因認定（ｃａｕｓａｌ  ｃｒｅｄｉｔ：コーザルクレジット）を授与する、例示的な方法を図示する図である。
【０００８】
【図４】[0008]図４は、階層的ランク付けシステムに基づいて、メディアオブジェクトにコーザルクレジットを与える、例示的方法を図示する図である。
【０００９】
【図５】[0009]図５は、クライアントデバイスが、視聴者測定エンティティ（ＡＭＥ：Ａｕｄｉｅｎｃｅ  Ｍｅａｓｕｒｅｍｅｎｔ  Ｅｎｔｉｔｙ）と分散型データベース所有者（ｄｉｓｔｒｉｂｕｔｅｄ  ｄａｔａｂａｓｅ  ｐｒｏｐｒｉｅｔｏｒ）とに、インプレッションを報告することに基づいて、ＡＭＥが、インプレッションと人口統計情報を収集することができる、例示的な方法の通信フロー図である。
【００１０】
【図６】[0010]図６は、ＡＭＥが、ビーコン報告毎に、データベース所有者から人口統計情報を受信することができる、例示的な方法の通信フロー図である。
【００１１】
【図７】[0011]図７は、ＡＭＥが、ＡＭＥとデータベース所有者の両方によって保持されているキー又はその他の識別情報に基づいて、データベース所有者から人口統計情報を受信することができる、例示的な方法の通信フロー図である
【００１２】
【図８】[0012]図８は、ＡＭＥ、及び／又は１つ若しくは複数のデータベース所有者に、メディアオブジェクトインプレッションを報告するための、図１及び２のクライアントデバイスによって実行されてもよい、例示的なマシン可読命令を表すフロー図である。
【００１３】
【図９】[0013]図９は、メディアオブジェクトに対するインプレッションのログをとるための、ＡＭＥにある図２の装置によって実行されてもよい、例示的なマシン可読命令を表すフロー図である。
【００１４】
【図１０】[0014]図１０は、人口統計情報を、クライアントデバイスで同時に提示されたメディアオブジェクトに対するインプレッションに関連付けるための、ＡＭＥにある図２の装置によって実行されてもよい、例示的なマシン可読命令を表すフロー図である。
【００１５】
【図１１】[0015]図１１は、図８〜１０の例示的な命令を実行して、本明細書に開示された例示的な装置及びシステムを実施するために使用されることのできる、例示的なプロセッサシステムの図である。
【００１６】
【図１２】[0016]図１２は、コンテンツ及び広告を含む連続メディアオブジェクトを提示するメディアプレーヤを表示している、例示的なウェブページインタフェースを示す図である。
【詳細な説明】
【００１７】
[0017]ウェブページ、広告、コンテンツ及び／又はその他のメディアなどのインターネットによってアクセス可能なメディアへのユーザアクセスをモニタする技術は、ここ数年で著しく進化した。過去のある時点では、このようなモニタリングは、主にサーバログを通じて行われていた。特に、インターネットでメディアを配信するエンティティであれば、自分のサーバにおいて、自分のメディアに対して受信された要求の数のログをとることとなる。サーバログに基づいてインターネットの使用を調査することには、いくつかの理由から問題がある。例えば、サーバログは、直接に、又はサーバログカウントを増やすためにメディアをサーバに繰り返し要求するゾンビプログラムを介して、改ざんされる可能性がある。第２に、メディアは、いったん検索されると、ローカルにキャッシュされ、その後、そのローカルキャッシュから繰り返し視聴されて、繰り返しの視聴にサーバを関与させない場合がある。サーバログは、キャッシュされたメディアのこれらの視聴を追跡することはできない。このため、サーバログは、過度のカウントと過少のカウントの両方の誤りに陥りやすい。
【００１８】
[0018]Ｂｌｕｍｅｎａｕの米国特許第６，１０８，６３７号に開示された発明は、インターネットのモニタリングが行われる方法を根本から変え、上記のサーバ側でのログモニタリング技術の限界を克服した。例えば、Ｂｌｕｍｅｎａｕは、追跡されるインターネットメディアにビーコン命令がタグ付けされる技術を開示した。特に、モニタリング命令が、追跡されるメディアのＨＴＭＬに関連付けられる。クライアントがメディアを要求すると、メディアとビーコン命令の両方が、クライアントにダウンロードされる。これによって、ビーコン命令は、メディアがアクセスされるときには常に、サーバからであるか、又はキャッシュからであるかに関わらず、実行される。
【００１９】
[0019]ビーコン命令は、メディアへのアクセスに関する情報を反映するモニタリングデータが、そのメディアをダウンロードしたクライアントから、モニタリングエンティティへ送信されるようにする。通常、モニタリングエンティティは、メディアをクライアントに提供しなかった視聴者測定エンティティ（ＡＭＥ）であり、正確な使用統計を提供する信頼されている（例えば、中立の）サードパーティ（例えば、Ｔｈｅ  Ｎｉｅｌｓｅｎ  Ｃｏｍｐａｎｙ，ＬＬＣ）である。ビーコン命令は、メディアに関連付けられ、メディアがアクセスされるときには常にクライアントブラウザによって実行されるため、モニタリング情報は、クライアントがＡＭＥのパネリストであるか否かに関わらず、ＡＭＥに提供されることが有利である。
【００２０】
[0020]視聴者測定エンティティ及び／又はその他の会社は、人口統計情報を、モニタリング情報にリンクさせたいと望むことが度々ある。この問題に対処するために、ＡＭＥは、自分の人口統計情報を提供し、且つ自分のインターネット閲覧活動がモニタされることに同意したユーザのパネルを設定する。個人がパネルに加わる場合、それらの個人は、自分の身元及び人口統計情報（例えば、性別、年齢、民族性、収入、居住地、職業など）に関する詳細な情報をＡＭＥに提供する。視聴者測定エンティティは、パネリストのコンピュータに、タグ付けされたメディアにパネリストがアクセスするときには常に、そのパネリストを視聴者測定エンティティが特定できるようにするクッキーを設定しており、これによって、モニタリング情報を視聴者測定エンティティへ送信する。
【００２１】
[0021]タグ付けされたメディアからモニタリング情報を提供するクライアントのほとんどはパネリストではなく、このため、視聴者測定エンティティに知られていないため、統計的な方法を使用して、パネリストに対して収集されたデータに基づいた人口統計情報を、タグ付けされたメディアに対するデータを提供するユーザのより大きな母集団に因果関係づけ（ｉｍｐｕｔｅ：インピュート）することが必要である。しかし、視聴者測定エンティティのパネルのサイズは、ユーザの一般的な母集団と比較すると、依然として小さい。このため、パネルの人口統計データが正確である状態を確保しながら、パネルのサイズをいかに大きくするかという問題が提示される。
【００２２】
[0022]インターネットで運営している多くのデータベース所有者がある。これらのデータベース所有者は、多数の加入者にサービスを提供する。サービスの提供と引き換えに、加入者は、この所有者に登録する。この登録の一環として、加入者は、詳細な人口統計情報を提供する。このようなデータベース所有者の例には、Ｆａｃｅｂｏｏｋ、Ｍｙｓｐａｃｅ、Ｔｗｉｔｔｅｒ、Ｙａｈｏｏ！、Ｇｏｏｇｌｅなどの、ソーシャルネットワークプロバイダ、電子メールプロバイダなどが含まれる。これらのデータベース所有者は、自分の加入者のコンピュータにクッキーを設定して、自分のウェブサイトにユーザが訪れたときに、データベース所有者がそのユーザを認識できるようにする。
【００２３】
[0023]インターネットのプロトコルは、クッキーが設定されたドメイン（例えば、インターネットドメイン、ドメイン名など）以外ではそのクッキーにアクセスできないようにする。これによって、ａｍａｚｏｎ．ｃｏｍドメインに設定されたクッキーは、ａｍａｚｏｎ．ｃｏｍドメイン内のサーバにとってはアクセス可能であるが、そのドメイン以外のサーバにとってはアクセス不可能である。したがって、視聴者測定エンティティは、データベース所有者によって設定されたクッキーにアクセスすることが有利だと気付いたとしても、それを行うことはできない。
【００２４】
[0024]先行ビーコニングプロセスの別の欠点は、各ビーコン要求が、クライアントコンピュータを介して（例えば、ウェブブラウザ、アプリケーションなどを介して）レンダリング又は提示された、１つのタグ付きメディアに対応すると言うことである。このため、インプレッション情報が、ウェブページに共同配置された、又はウェブラウザによって同時に提示された、その他のメディアについて収集されないことが度々ある。このような先行ビーコニングプロセスは、ユーザに対して露出される、インターネットによってアクセス可能なメディアへの理解を制限するものとなる。例えば、先行ビーコニングプロセスのビーコン要求は、そのホストウェブページで提示された１つのメディアアイテムのホストウェブページアドレスとメディア識別子を示してもよい。しかし、このビーコン要求は、その他のどのメディアが、そのホストウェブページに提示されたかについては、何も情報を提供しない。これによって、ウェブベージでの様々なメディア間の相関関係又は因果関係は、このような先行ビーコニングプロセスを使用して測定されることはできない。例えば、ユーザは、映画予告編にアクセスするためのポータルとして使用できるソーシャルネットワークウェブページを訪れてもよい。ポータルは、映画予告編に加えてタグ付きバナー広告も表示してもよい。タグ付きバナー広告は、クライアントコンピュータに対して、タグ付きバナー広告に対する広告識別子、及びホストウェブページＵＲＬに対するＵＲＬを含むビーコン要求を送信させることができるが、ビーコン要求は、同時に表示された映画予告編についての情報を何も伝達しないこととなる。したがって、ホストウェブページは、タグ付きバナー広告のインプレッションを引き起こすことに対する全クレジットを獲得することになるが、表示された映画予告編は、ユーザの注意を引いて、タグ付きバナー広告を表示しやすくした原因であるとして、クレジットを獲得することはない。本明細書に開示された例は、データ収集プロセスを拡張して、ビーコン要求が、クライアントデバイスで同時に提示された多数のメディアオブジェクトについて、情報をＡＭＥに伝達するようにする。
【００２５】
[0025]本明細書に開示された例は、ＡＭＥが、クライアントデバイスで同時に表示された多数のメディアオブジェクトについての情報又は特性を活用することを可能にし、ＡＭＥが、クライアントデバイスで同時に提示された多数のメディアオブジェクトに対するインプレッションのログを同時にとることができるようにする。本明細書に開示された例は、多数の提示されたメディアオブジェクト間での因果関係を確定することをさらに可能にする。本明細書に開示された例は、ＡＭＥが、ビーコニングプロセスを参加データベース所有者を包含するまで拡張することによって、またこのようなデータベース所有者を一時的なデータコレクタとして使用することによって、データベース所有者の既存のデータベースを活用して、より広範囲なインターネット使用及び人口統計データを収集することをさらに可能にする。
【００２６】
[0026]本明細書に開示された例は、メディアオブジェクト内の埋め込み命令（例えば、コレクタ命令及びビーコン命令）によって、インターネットを介して配信されるタグ付きメディアオブジェクト（例えば、広告、製品画像（例えば、電子商取引、オンライン購入などの際の）、テレビ番組、ニュース記事など）を含む。コレクタ命令及びビーコン命令は、クライアントデバイスが、受信されたメディアオブジェクトを、表示又は再生のために再現する場合、クライアントデバイスによって実行される。クライアントデバイスが、コレクタ命令及びビーコン命令を実行する場合、コレクタ命令及びビーコン命令は、クライアントデバイスに対して、提示されたメディアオブジェクトの特性を収集させ、その収集された特性を、ビーコン要求で、収集部へ送信させる。コレクタ命令は、メディアオブジェクトからメディアオブジェクト特性（例えば、埋め込み識別子、埋め込みコード、埋め込み情報、署名など）を収集して、収集部が、その特性に基づいて、メディアオブジェクトと関連情報を特定できるようにする。いくつかの例では、メディアオブジェクト特性は、番組タイトル、配信ドメイン、ホストウェブサイトアドレス（ユニフォームリソースロケータ（ＵＲＬ：Ｕｎｉｆｏｒｍ  Ｒｅｓｏｕｒｃｅ  Ｌｏｃａｔｏｒ））、メディア所有者、広告キャンペーン識別子、製品名、製品製造メーカなどの情報を提供する。このようにして、ビーコン要求及びメディアオブジェクトパラメータは、収集部が、それらのメディアオブジェクトがクライアントデバイスで提示されるときに、対応するメディアオブジェクトに対するインプレッションのログをとることを可能にする。
【００２７】
[0027]本明細書に開示された例は、クライアントデバイスで同時に提示された複数のメディアオブジェクトについて、複数のインプレッションを収集部に伝えることを、クライアントデバイスからの１回の通知を使用して容易にする。複数のメディアオブジェクトが、クライアントデバイスのディスプレイにレンダリングされる、或いはクライアントデバイスによって提示されると、メディアオブジェクトの１つは、コレクタ命令とビーコン命令（例えば、そのような命令を含むマスタータグ）を含むマスター又はコレクタメディアオブジェクトとされる。コレクタメディアオブジェクトは、クライアントデバイスで同時に提示されるその他のメディアオブジェクトの全てから、メディアオブジェクト特性を収集するように動作する。このようにして、同時に提示されたメディアオブジェクトの全てが、対応するビーコン要求を収集部へ送信する代わりに、コレクタメディアオブジェクトが、その他の提示されたメディアオブジェクトの全てからの収集されたメディアオブジェクト情報の全てを備えた１回のビーコン要求を送信する。このことは、クライアントデバイスが、同時に提示されたメディアオブジェクトについて収集部に報告するのに必要なネットワーク帯域幅及び通信リソースの量を大幅に減らす。さらに、このことは、様々なメディアオブジェクト間の関係性（例えば、因果関係）を確定することを可能にする。
【００２８】
[0028]複数の同時に表示されたメディアオブジェクトに対するメディアオブジェクトパラメータの報告は、複数のエンティティに、広告／メディアインプレッションの原因でクレジット付けすることを可能にする。例えば、テレビ番組「Ｂｒｅａｋｉｎｇ  Ｂａｄ」のメディアクリップ（メディアオブジェクト）が、ｓｏｃｉａｌｎｅｔｗｏｒｋ．ｃｏｍウェブページを介した埋め込みメディアとして、ユーザからアクセスされ、またウェブページも同時に、多数のタグ付き広告（メディアオブジェクト）を表示する場合、メディアオブジェクトの１つでのマスタータグは、「Ｂｒｅａｋｉｎｇ  Ｂａｄ」クリップ及び表示された広告のメディアオブジェクトパラメータを収集する。マスタータグは、次に、全ての収集されたメディアオブジェクトパラメータを備えたビーコン要求を、収集部へ送信する。メディアオブジェクトの全てに対して収集されたパラメータは、表示された広告に対するインプレッションのログをとることと、「Ｂｒｅａｋｉｎｇ  Ｂａｄ」クリップとｓｏｃｉａｌｎｅｔｗｏｒｋ．ｃｏｍウェブページの両方がユーザの注意を引いて、表示された広告が同じウェブページに配信されるようにしたことを示すコーザルクレジットを、「Ｂｒｅａｋｉｎｇ  Ｂａｄ」クリップとｓｏｃｉａｌｎｅｔｗｏｒｋ．ｃｏｍウェブページの両方に与えることを可能にする。
【００２９】
[0029]本明細書に開示された例は、オンラインウェブサービスプロバイダなどのデータベース所有者のいくつとも提携する視聴者測定エンティティ（例えば、広告、コンテンツ、及び／又はその他の任意のメディアへの視聴者露出を測定又は追跡することに関心がある任意のエンティティ）によって実施されてもよい。このようなデータベース所有者／オンラインウェブサービスプロバイダは、ユーザ登録記録を維持するソーシャルネットワークサイト（例えば、Ｆａｃｅｂｏｏｋ、Ｔｗｉｔｔｅｒ、ＭｙＳｐａｃｅなど）、マルチサービスサイト（例えば、Ｙａｈｏｏ！、Ｇｏｏｇｌｅ、Ｅｘｐｅｒｉａｎ、Ａｘｉｏｍ、Ｃａｔａｌｉｎａなど）、オンライン小売店サイト（例えば、Ａｍａｚｏｎ．ｃｏｍ、Ｂｕｙ．ｃｏｍなど）、及び／又はその他の任意のウェブサービス（複数可）サイトであってもよい。
【００３０】
[0030]測定された視聴率が正しい人口統計情報に正確に因果関係付け（ａｔｔｒｉｂｕｔｅ：アトリビュート）される確率を高めるために、本明細書に開示された例は、視聴者測定エンティティの記録にあるユーザ人口統計情報とともに、その情報とともにアカウントを有するユーザの記録又はプロフィールを維持する、１つ又は複数のデータベース所有者にある人口統計情報を使用する。このようにして、本明細書に開示された例は、レーティングエンティティ（例えば、メディア露出測定値及び／又は人口統計情報を収集する、アメリカ合衆国イリノイ州シャンバーグのＴｈｅ  Ｎｉｅｌｓｅｎ  ＣｏｍｐａｎｙなどのＡＭＥ）によって維持されている人口統計情報を、１つ又は複数の異なるデータベース所有者からの人口統計情報を使用して補完するために使用されてもよい。
【００３１】
[0031]本明細書に開示された例は、クライアントデバイスが、１回のビーコン要求をＡＭＥへ送信して、クライアントデバイスで提示された複数のメディアオブジェクトを報告することを可能にする。このようにして、複数のメディアオブジェクトを報告する１回のビーコン要求を使用することによって、ＡＭＥは、提示されたメディアオブジェクトを知らせる、クライアントデバイスからの比較的少ない通知を受信しながら、クライアントデバイスで提示されたメディアオブジェクトに対するかなりの数のインプレッションのログをとることができる。さらに、本明細書に開示された例は、様々なメディアオブジェクト間の関係性のログをとることを可能にする。本明細書で使用される際には、インプレッションは、世帯又は個人が、対応するメディア（例えば、コンテンツ及び／又は広告）に露出される事象であると定義される。このように、インプレッションは、メディア（例えば、広告、コンテンツ、広告群及び／又はコンテンツの集まり）に露出された世帯又は個人を表す。インターネット広告では、インプレッションの数又はインプレッションカウントとは、メディア（例えば、広告又は広告キャンペーン）が、ウェブ人口によってアクセスされた合計回数（例えば、例えばポップアップブロッカーによって減らされる、及び／又は、例えば、ローカルキャッシュメモリからの検索によって増やされるような、メディアがアクセスされる回数）である。本明細書で使用される際には、人口統計インプレッションとは、メディアに露出された人の特性（例えば、人口統計的特性）に関連付けられたインプレッションであると定義される。
【００３２】
[0032]図１は、ユーザインタフェースを介して、複数のメディアオブジェクト１０４ａ〜ｄを提示するように構成された、例示的なクライアントデバイス１０２を示す。図示された例のクライアントデバイス１０２は、ネットワークを介してメディアにアクセスできる任意のデバイスであってもよい。例えば、クライアントデバイス１０２は、コンピュータ、タブレット、モバイルデバイス、スマートテレビ、又はその他の任意のインターネット対応デバイス又はアプライアンスであってもよい。本明細書に開示された例は、コンテンツ及び／又は広告を含む任意のタイプのメディアに対するインプレッション情報を収集するために使用されてもよい。メディアオブジェクト１０４ａ〜ｄなどのメディアオブジェクトは、ウェブページ、ストリーミング映像、ストリーミング音声、インターネットプロトコルテレビ（ＩＰＴＶ：Ｉｎｔｅｒｎｅｔ  Ｐｒｏｔｏｃｏｌ  ＴｅｌｅＶｉｓｉｏｎ）コンテンツ、映画、テレビ番組及び／又はその他の番組を含んでもよく、このようなメディアオブジェクトは、全体的に、本明細書ではコンテンツと呼ばれる。いくつかの例では、メディアオブジェクト１０４ａ〜ｄは、例えば、ＹｏｕＴｕｂｅ［登録商標］などのメディアアップロードサイトにアップロードされ、その後、再生のために多くのクライアントデバイスによってダウンロード及び／又はストリーミングされる、ユーザ作成型メディアを含む。メディアオブジェクト１０４ａ〜ｄなどのメディアオブジェクトは、広告をさらに含んでもよい。広告は、通常、コンテンツといっしょに配信される。従来、コンテンツは、自分の広告をコンテンツといっしょに配信させるために支払いをする広告主によって援助されることから、視聴者には安い料金又は無料で提供される。本明細書で使用される際には、「メディア」は、一括して及び／又は個別的に、コンテンツ及び／又は広告（複数可）を指す。
【００３３】
[0033]図１の図示された例では、メディアオブジェクトＡ１０４ａ及びＤ１０４ｄは広告、メディアオブジェクトＢ１０４ｂはホストウェブページ、メディアオブジェクトＣ１０４ｃは映像である。他の例では、メディアオブジェクト１０４ａ〜ｄは、その他の任意のメディアを提示するために使用されてもよい。例えば、メディアオブジェクトＡ１０４ａが、メディアオブジェクトＣ１０４ｃ（例えば、スポーツ映像、映画、テレビ番組、ニュース番組など）で提示された映像についての真相又はその他の情報（例えば、スポーツチーム又は運動選手についての統計値、映画又はテレビ番組についての情報又は批評など）を表示する情報パネルである場合、メディアオブジェクトＢ１０４ｂは、ウェブサイト、ポータル、ウェブアプリなどである可能性がある。本明細書に開示された例は、クライアントデバイスで同時に提示された複数のメディアオブジェクト（例えば、メディアオブジェクトＡ、Ｂ、Ｃ、及びＤ）についてのインプレッション情報を収集して、そのインプレッション情報が、クライアントデバイスを介してユーザに同時に提示された様々なメディア間の関係性を確定するために使用されることができるようにするために使用されてもよい。このような関係性は、広告などの特定のメディアオブジェクトに対するインプレッションが、ある人が、特定のテレビ番組又はその他のメディアにアクセスするために、特定のウェブサイト（例えば、対応するＵＲＬによって特定される）を訪れる、又は特定のストリーミングテレビチャンネル（例えば、チャンネル番号又はネットワーク名によって特定される）を視聴する結果の可能性があること、を示す因果関係であってもよい。このようにして、コーザルクレジットは、ユーザの注意を引いて、その他のメディア（例えば、広告メディアオブジェクト）を提示する機会を作るとして、視聴されたウェブサイト又はストリーミングテレビチャンネルと、アクセスされたテレビ番組又はメディア（例えば、コンテンツ）に与えられることができる。
【００３４】
[0034]図示された例では、メディアオブジェクト１０４ａ〜ｄは、１つ又は複数のメディアプロバイダ１０６によって、クライアントデバイス１０２に提供される。図示された例では、メディアプロバイダ（複数可）１０６は、ウェブサイト及び／又はオンラインテレビサービス（例えば、ウェブベースのＴＶ、インターネットプロトコルＴＶ（ＩＰＴＶ）など）にアクセスするユーザに、インターネットを介して、メディアオブジェクト１０４ａ〜ｃを配信するメディアプロバイダ（例えば、コンテンツプロバイダ）、メディア発行者、及び／又は広告主であってもよい。メディアオブジェクト１０４ａ〜ｃは、追加として又は代替として、本明細書で開示された技術及び／又はその他の技術を使用して、視聴率に関してモニタされる従来のインターネットを使用しない（例えば、ＲＦ、地上波又は衛星を使用する）テレビセットに、放送テレビサービスを通して配信されてもよい。
【００３５】
[0035]図１の図示された例には、１つのクライアントデバイス１０２が示されているが、本明細書で開示された例は、ユーザによって同時に使用される複数のクライアントデバイスからインプレッション情報を収集するために、使用することができる。例えば、クライアントデバイス１０２は、ユーザが、関連の主要メディア（例えば、テレビ番組、映画など）も、テレビなどの一次画面を介して見ているときの、補足メディア（例えば、広告、配役／俳優の経歴、場面の背景、製作責任者の解説など）を視聴するための二次画面として、動作するタブレットデバイスであってもよい。本明細書に開示された例は、一次と二次の両方の画面から、インプレッション情報を収集することと、一次と二次の両方の画面の同じユーザの人口統計情報に関連して、インプレッション情報を分析することとを容易にする。例えば、一次及び二次画面デバイスは両方とも、それらのデバイスに関連付けられたユーザ及び／又は人口統計情報を特定するために使用されることのできる同じ識別子を格納してもよい。このため、同じ識別子に基づいたそれらのデバイスの両方に対するインプレッションのログをとり、同じ人口統計情報を、その識別子に関連してログがとられたインプレッションの全てに関連付けることができる。代替として、一次及び二次画面は、一次及び二次デバイスに関連付けられた同じユーザ及び／又は人口統計情報を特定するために両方とも使用される異なるそれぞれの識別子を有してもよい。このため、それぞれの識別子に基づいたデバイスの両方に対するインプレッションのログをとり、同じ人口統計情報を、一次及び二次デバイスに関連してログがとられたインプレッションの全てに関連付けることができる。
【００３６】
[0036]図１の図示された例では、メディアオブジェクト１０４ａ、１０４ｃ、及び１０４ｄは、メディアオブジェクトＢ１０４ｂ（例えば、コンテナメディアオブジェクト）に埋め込まれた埋め込みメディアオブジェクトである。図示された例のメディアオブジェクト１０４ａ、１０４ｃ、及び１０４ｄは、並置メディアオブジェクトである。本明細書に開示された例はまた、図１２の図示された例で示されているように、連続メディアオブジェクトに関連して、使用されてもよい。例えば、連続メディアオブジェクトは、連続して（例えば、順次に）提示されるオブジェクトである。例えば、図１２は、タイムライン１２００と、そのタイムライン１２００に沿った異なる時間ｔ０１２０４、ｔ１１２０６、及びｔ２１２０８で、連続メディアオブジェクトを見せているウェブページメディアオブジェクト１２０２を示す。図１２の図示された例では、ウェブページメディアオブジェクト１２０２は、時間ｔ０１２０４でコンテンツメディアオブジェクト１２１４、時間ｔ１１２０６で第１の広告（ＡＤＶＥＲＴＩＳＥＭＥＮＴ＿Ａ）メディアオブジェクト１２１６、及び時間ｔ２１２０８で第２の広告（ＡＤＶＥＲＴＩＳＥＭＥＮＴ＿Ｂ）メディアオブジェクト１２１８を提示する、メディアプレーヤメディアオブジェクト１２１２を表示する。図示された例では、コンテンツ１２１４、第１の広告１２１６、及び第２の広告１２１８は、同じ時間で同時にメディアプレーヤメディアオブジェクト１２１２に現れないように、連続して提示される。さらに、図示された例のメディアプレーヤメディアオブジェクト１２１２は、コンテンツ１２１４、第１の広告１２１６、及び第２の広告１２１８が、メディアプレーヤメディアオブジェクト１２１２内の埋め込みメディアオブジェクトである場合のコンテナオブジェクトである。いくつかの例では、メディアプレーヤメディアオブジェクト１２１２に表示された映像（例えば、映画、テレビ番組、スポーツイベントストリーム又は映像、ニュース番組など）は、コンテナオブジェクトであり、広告１２１６及び１２１８は、映像コンテナオブジェクト内の埋め込みメディアオブジェクトである。本明細書に開示された例は、コンテンツ１２１４、第１の広告１２１６、及び第２の広告１２１８などの連続メディアオブジェクト、図１のメディアオブジェクト１０４ａ、１０４ｃ、及び１０４ｄなどの並置メディアオブジェクト、並びにメディアオブジェクト１０４ｂに埋め込まれた図１のメディアオブジェクト１０４ａ、１０４ｃ、及び１０４ｄなどと、メディアプレーヤメディアオブジェクト１２１２に埋め込まれた図１２のコンテンツ１２１４、第１の広告１２１６、及び第２の広告１２１８などの埋め込みメディアオブジェクト、をモニタ、測定するために使用されてもよい。
【００３７】
[0037]図２は、ＡＭＥ２０２が、図１のメディアオブジェクト１０４ａ〜ｄの特性と、多数のデータベース所有者２０４にわたる分散型人口統計情報に基づいて、メディアインプレッションを、ユーザ人口統計情報に関連付けてもよい、例示的なシステム２００を示す。「分散型人口統計情報」は、本明細書で使用される際には、そのうちの少なくとも１つが、オンラインウェブサービスプロバイダなどのデータベース所有者２０４である、少なくとも２つのソースから得られた人口統計情報を指す。本明細書に開示された例では、データベース所有者２０４は、データベース所有者によって提供されたインターネットを使用したサービスに対して登録済みユーザに対応する、ユーザアカウント記録を維持する。人口統計情報は、例えば、性別、年齢、民族性、収入、居住地、教育レベル、職業などを含んでもよい。
【００３８】
[0038]図示された例では、メディアオブジェクト１０４ａ〜ｄのうちの多数のオブジェクトについてのインプレッション情報を、クライアントデバイス１０２からＡＭＥ２０２へ送信しやすくするために、メディアオブジェクト１０４ａ〜ｄのうちの少なくとも１つは、コレクタオブジェクトとして構成され、メディアオブジェクト１０４ａ〜ｄのうちのその他のオブジェクトは、パッシブオブジェクトとして、構成される。図示された例では、コレクタオブジェクトは、クライアントデバイス１０２で同時に提示されるその他のメディアオブジェクトの全てから、メディアオブジェクト特性を収集するように動作するメディアオブジェクトである。図示された例では、パッシブオブジェクトは、インプレッション報告プロセス中に、ＡＭＥへ送信するための、コレクタオブジェクトによって収集される特性を有するメディアオブジェクトである。図示された例では、メディアオブジェクトＡ１０４ａは、コレクタオブジェクトであり、メディアオブジェクトＡ１０４ｂ〜ｄは、パッシブオブジェクトである。図示された例のメディアオブジェクトＡ１０４ａは、コレクタ命令２０６とビーコン命令２０８を含む。図示された例では、命令２０６及び２０８は、マスタータグを形成する。図示された例におけるマスタータグは、メディアオブジェクトに埋め込まれ、メディアオブジェクトが、コレクタオブジェクトとして動作できるようにする。例えば、図２では、命令２０６及び２０８を有するマスタータグは、メディアオブジェクトＡ１０４ａが、コレクタオブジェクトとして動作できるように、メディアオブジェクトＡ１０４ａに提供される。さらに、図示された例のメディアオブジェクト１０４ａ〜ｄの全ては、オブジェクト特性２１０ａ〜ｄを含む。コレクタオブジェクトとして、メディアオブジェクトＡ１０４ａは、それ自身又はその他のメディアオブジェクト１０４ｂ〜ｄから、オブジェクト特性を収集して、その収集されたオブジェクト特性をＡＭＥ２０２へ送信する。このプロセスを実現するために、コレクタ命令２０６は、実行されると、クライアントデバイス１０２に、メディアオブジェクト１０４ａ〜ｄから、オブジェクト特性２１０ａ〜ｄを収集させる。さらに、ビーコン命令２０８は、実行されると、クライアントデバイス１０２に、オブジェクト特性２１０ａ〜ｄを、ビーコン要求２１２でＡＭＥ２０２へ送信させる。
【００３９】
[0039]いくつかの例では、ユーザによって呼び出されたメディアオブジェクトは、マスターオブジェクト（例えば、メディアオブジェクトＡ１０４ａ）であり、マスターオブジェクトによって呼び出されたメディアオブジェクトは、下位オブジェクト（例えば、メディアオブジェクト１０４ｂ〜ｄ）とされる。いくつかの例では、下位オブジェクトは、その他のメディアオブジェクトに対してマスターオブジェクトになることができる。例えば、別のメディアオブジェクトによって呼び出されたメディアオブジェクトは、そのオブジェクトを呼び出したメディアオブジェクトに対する下位オブジェクトである。したがって、下位オブジェクト（例えば、第１レベルの下位オブジェクト）は、別の下位オブジェクト（例えば、第２レベルの下位オブジェクト）に対してマスターオブジェクトとなってもよい。
【００４０】
[0040]図１に関連して上に説明されたように、メディアオブジェクト１０４ａ、１０４ｃ、及び１０４ｄは、互いに対して並置メディアオブジェクトであり、メディアオブジェクト１０４ｂ内の埋め込みオブジェクトである。本明細書に開示された例はまた、図１２のコンテンツメディアオブジェクト１２１４、広告（ＡＤＶＥＲＴＩＳＥＭＥＮＴ＿Ａ）メディアオブジェクト１２１６、及び広告（ＡＤＶＥＲＴＩＳＥＭＥＮＴ＿Ｂ）メディアオブジェクト１２１８などの連続メディアオブジェクトに関連して使用されてもよい。図１２の図示された例では、コンテンツメディアオブジェクト１２１４、広告（ＡＤＶＥＲＴＩＳＥＭＥＮＴ＿Ａ）メディアオブジェクト１２１６、及び広告（ＡＤＶＥＲＴＩＳＥＭＥＮＴ＿Ｂ）メディアオブジェクト１２１８に対応するメディアオブジェクト特性を収集しやすくするために、メディアプレーヤメディアオブジェクト１２１２には、コレクタ及びビーコン命令（例えば、図２のコレクタ命令２０６及びビーコン命令２０８と同様又は同一）を有するマスタータグ１２２２が提供される。さらに、コンテンツメディアオブジェクト１２１４にはオブジェクト特性１２２６、広告（ＡＤＶＥＲＴＩＳＥＭＥＮＴ＿Ａ）メディアオブジェクト１２１６にはオブジェクト特性１２２８、広告（ＡＤＶＥＲＴＩＳＥＭＥＮＴ＿Ｂ）メディアオブジェクト１２１８にはオブジェクト特性１２３０が提供される。図示された例では、メディアプレーヤメディアオブジェクト１２１２は、埋め込み連続メディアオブジェクト１２１４、１２１６、及び１２１８が、メディアプレーヤメディアオブジェクト１２１２で連続して提示される間、図１２で示されるように、時間１２０４、１２０６、及び１２０８で、コンテナオブジェクトとして、提示され続ける（例えば、インスタンス化及び／又は表示され続ける）。メディアプレーヤメディアオブジェクト１２１２の提示が維持されるので、メディアプレーヤメディアオブジェクト１２１２のマスタータグ１２２２内のコレクタ命令は、コンテンツメディアオブジェクト１２１４が、時間ｔ０１２０４で提示されると、オブジェクト特性１２２６を収集し、広告（ＡＤＶＥＲＴＩＳＥＭＥＮＴ＿Ａ）メディアオブジェクト１２１６が、時間ｔ１１２０６で提示されると、オブジェクト特性１２２８を収集し、広告（ＡＤＶＥＲＴＩＳＥＭＥＮＴ＿Ｂ）メディアオブジェクト１２１８が、時間ｔ２１２０８で提示されると、オブジェクト特性１２３０を収集する。マスタータグ１２２２のビーコン命令は、次に、収集されたオブジェクト特性１２２６、１２２８、及び１２３０を、ＡＭＥ２０２へ送信することができる。
【００４１】
[0041]いくつかの例では、マスタータグ１２２２は、コンテンツメディアオブジェクト１２１４に備えられ、コンテンツメディアオブジェクト１２１４は、広告メディアオブジェクト１２１６及び１２１８が提示されると、インスタンス化又は読み込みが続けられる（例えば、バックグラウンドで）コンテナオブジェクトである。このような例では、コンテンツメディアオブジェクト１２１４のマスタータグ１２２２内のコレクタ命令は、コンテンツメディアオブジェクト１２１４が時間ｔ０１２０４で提示されると、オブジェクト特性１２２６を収集し、広告（ＡＤＶＥＲＴＩＳＥＭＥＮＴ＿Ａ）メディアオブジェクト１２１６が時間ｔ１１２０６で提示されると、オブジェクト特性１２２８を収集し、広告（ＡＤＶＥＲＴＩＳＥＭＥＮＴ＿Ｂ）メディアオブジェクト１２１８が時間ｔ２１２０８で提示されると、オブジェクト特性１２３０を収集する。コンテンツメディアオブジェクト１２１４のマスタータグ１２２２内のビーコン命令は、次に、収集されたオブジェクト特性１２２６、１２２８、及び１２３０をＡＭＥ２０２へ送信する。
【００４２】
[0042]図示された例では、コレクタ命令２０６とビーコン命令２０８は、メディアオブジェクトＡ１０４ａの考案者及び／又は別のエンティティ（例えば、図１のメディアプロバイダ（複数可）２０６などの次のメディア配信者又は発行者）によって、メディアオブジェクトＡ１０４ａに埋め込まれたコンピュータ実行可能命令（例えば、Ｊａｖａ［登録商標］、ｊａｖａｓｃｒｉｐｔ［登録商標］、又はその他の任意のコンピュータ言語若しくはスクリプト）である。いくつかの例では、コレクタ命令２０６とビーコン命令２０８をメディアオブジェクトＡ１０４ａに埋め込まずに、１つ又は複数のハイパーリンクが、メディアオブジェクトＡ１０４ａに代わりに提供されて、コレクタ命令２０６とビーコン命令２０８を、１つ又は複数の特定のサーバからダウンロード又は検索するよう、ウェブブラウザに指示する。これによって、例えば、ＡＭＥ２０２が、メディアオブジェクトＡ１０４ａのメディアプロバイダを介さずに、命令を変更することが可能になる。いくつかの例では、命令２０６及び２０８は、メディアオブジェクト１０４ａ〜ｄを提示しているウェブブラウザによって実行される。他の例では、命令は、メディアオブジェクト１０４ａ〜ｄを提示しているアプリケーション（又は、モバイルデバイスでの「アプリ」）によって実行される。さらに他の例では、命令は、独立したプログラムとして実行される。例えば、スマートテレビは、単独のプログラムとして命令を実行してもよい。図示された例では、メディアオブジェクトＡ１０４ａは、コレクタ命令とビーコン命令２０８を含むマスタータグでタグ付けされているとして見なされる。
【００４３】
[0043]オブジェクト特性２１０ａ〜ｄは、メディアオブジェクト１０４ａ〜ｄに埋め込まれた情報であってもよい。いくつかの例では、オブジェクト特性２１０ａ〜ｄを、メディアオブジェクト１０４ａ〜ｄに埋め込まずに、１つ又は複数のハイパーリンクが、メディアオブジェクト１０４ａ〜ｄに代わりに提供されて、オブジェクト特性２１０ａ〜ｄを、１つ又は複数の特定のサーバからダウンロード又は検索するよう、ウェブブラウザに指示する。これによって、例えば、ＡＭＥ２０２が、メディアオブジェクト１０４ａ〜ｄのメディアプロバイダを介さずに、オブジェクト特性２１０ａ〜ｄを変更することが可能になる。いくつかの例では、埋め込まれた情報は、関連付けられたメディア、関連付けられた広告キャンペーンを特定するキャンペーン識別子（ＩＤ）、クリエイティブタイプＩＤ（例えば、Ｆｌａｓｈベースのメディア又は広告、バナー広告、リッチタイプ広告などを特定する）、ソースＩＤ（例えば、メディア発行者を特定する）、及び配置ＩＤ（例えば、メディアの画面での物理的配置を特定する）を特定する、識別コード（例えば、メタデータ）のうちの１つ又は複数であってもよい。いくつかの例では、オブジェクト特性２１０ａ〜ｄは、メディアオブジェクト１０４ａ〜ｄの視覚及び／又は音声特性から引き出される。例えば、コレクタ命令２０６は、クライアントデバイス１０２に、メディアオブジェクト１０４ａ〜ｄの部分から、映像、画像、又は音声署名を生成させるように構成されてもよい。例えば、コレクタ命令２０６は、クライアントデバイス１０２に、画面キャプチャ又は画面走査を行わせて、メディアオブジェクト１０４ａ〜ｄを表す１つ又は複数の画像を収集して、その画像（複数可）に基づいて、メディアオブジェクト１０４ａ〜ｄに対応する署名を生成させてもよい。追加として又は代替として、コレクタ命令２０６は、クライアントデバイス１０２に、メディアオブジェクト（複数可）１０４ａ〜ｄの音声を傍受及び／又は取り込ませて、その音声に基づいて、メディアオブジェクト（複数可）１０４ａ〜ｄに対応する１つ又は複数の署名を生成させてもよい。このようにして、ＡＭＥ２０２は、メディアオブジェクト１０４ａ〜ｄのうちの１つから収集された署名を使用して、ＡＭＥ２０２で格納されたマッチング基準署名に基づいて、メディアオブジェクト１０４ａ〜ｄのうちの１つを特定することができる。いくつかの例では、コレクタ命令２０６は、クライアントデバイス１０２に、光学式文字認識（例えば、テキスト認識）又はロゴ認識を、画面キャプチャ画像に基づいて行わせ、メディアオブジェクト１０４ａ〜ｄに関連付けられた、認識されたテキスト及び／又はロゴを、オブジェクト特性２１０ａ〜ｄの一部として使用させてもよい。
【００４４】
[0044]コレクタ命令２０６に基づいてオブジェクト特性２１０ａ〜ｄを収集した後、ビーコン命令２０８を実行すると、クライアントデバイス１０２に、ビーコン要求２１２を、ビーコン命令２０８で特定された、ＡＭＥ２０２のサーバ（例えば、インターネットプロトコル（ＩＰ：Ｉｎｔｅｒｎｅｔ  Ｐｒｏｔｏｃｏｌ）アドレス又はＵＲＬ）へ送信させる。図示された例では、ビーコン命令２０８は、クライアントデバイス１０２に、識別子２１４とオブジェクト特性２１０ａ〜ｄを、ビーコン要求２１２に置かせる。図示された例のビーコン要求２１２は、ＡＭＥ２０２に、メディアオブジェクト１０４ａ〜ｄに対するインプレッションのログをとらせるインプレッション要求である。図示された例では、インプレッション要求は、メディアオブジェクトが、クライアントデバイス１０２で提示されているという事象のＡＭＥ２０２への報告である。ビーコン／インプレッション要求２１２は、ハイパーテキスト転送プロトコル（ＨＴＴＰ：ＨｙｐｅｒＴｅｘｔ  Ｔｒａｎｓｆｅｒ  Ｐｒｏｔｏｃｏｌ）要求として実施されてもよい。しかし、転送されたＨＴＴＰ要求は、ダウンロードされるウェブページ又はその他のリソースを特定するが、ビーコン／インプレッション要求２１２は、視聴者測定情報（例えば、オブジェクト特性２１０ａ〜ｄ及び識別子２１４）を、そのペイロードとして含む。ビーコン／インプレッション要求２１２が向けられるサーバは、インプレッション（例えば、それに対するオブジェクト特性が、ビーコン／インプレッション要求２１２で通知されるメディアオブジェクトの特質に基づいている、広告及び／又はコンテンツインプレッションなどのメディアインプレッション）として、ビーコン／インプレッション要求２１２の視聴者測定情報のログをとるようにプログラムされる。
【００４５】
[0045]図示された例の識別子２１４は、人口統計情報を、クライアントデバイス１０２の１人又は複数のユーザに関連付けるのに有用な任意の識別子であってもよい。いくつかの例では、識別子２１４は、ＡＭＥ２０２及び／又はデータベース所有者２０４が、クライアントデバイスのユーザについての人口統計情報に関連付けて格納する、デバイス識別子（例えば、国際移動体装置識別番号（ＩＭＥＩ：Ｉｎｔｅｒｎａｔｉｏｎａｌ  Ｍｏｂｉｌｅ  Ｅｑｕｉｐｍｅｎｔ  Ｉｄｅｎｔｉｔｙ）、モバイル機器識別子（ＭＥＩＤ：Ｍｏｂｉｌｅ  Ｅｑｕｉｐｍｅｎｔ  ＩＤｅｎｔｉｆｉｅｒ）、メディアアクセス制御（ＭＡＣ：Ｍｅｄｉａ  Ａｃｃｅｓｓ  Ｃｏｎｔｒｏｌ）アドレスなど）、ウェブブラウザの一意の識別子（例えば、クッキー）、ユーザ識別子（例えば、ユーザ名、ログインＩＤなど）、アドビフラッシュ（Ａｄｏｂｅ  Ｆｌａｓｈ）（商標）クライアント識別子、ＨＴＭＬ５データストアに格納された識別情報、又はその他の任意の識別子、であってもよい。このようにして、ＡＭＥ２０２が、ビーコン／インプレッション要求２１２で識別子２１４を受信すると、ＡＭＥ２０２は、ＡＭＥ２０２が、クライアントデバイス１０２から、ビーコン／インプレッション要求２１２で受信する識別子２１４に基づいて、クライアントデバイス１０２のユーザに対応する人口統計情報を得ることができる。いくつかの例では、識別子２１２は、クライアントデバイス１０２で暗号化（例えば、ハッシュ化）されて、識別子２１２の意図された最終受信者のみが、ハッシュ化された識別子２１２を復号化できるようにしてもよい。例えば、識別子２１２が、ＡＭＥ２０２によって、クライアントデバイス１０２に設定されるクッキーである場合、識別子２１２は、ＡＭＥ２０２のみがその識別子２１２を復号化できるように、ハッシュ化されることができる。識別子２１２がＩＭＥＩ番号である場合、クライアントデバイス１０２は、識別子２１２をハッシュ化して、無線キャリア（例えば、データベース所有者２０４のうちの１つ）のみがハッシュ化された識別子２１２を復号化し、クライアントデバイス１０２のユーザに対応する人口統計情報にアクセスする際に使用するＩＭＥＩを復元できるようにすることができる。識別子２１４をハッシュ化することによって、ビーコン要求を受信する中間パーティは、クライアントデバイス１０２のユーザを、直接特定することができない。例えば、識別子２１４の意図された最終受信者が、データベース所有者２０４のうちの１つである場合、意図されたデータベース所有者２０４によってのみの復号化のために、識別子２１４がクライアントデバイス１０２によってハッシュ化されると、ＡＭＥ２０２は、識別子情報を復元することができない。
【００４６】
[0046]図示された例のＡＭＥ２０２には、ビーコン要求（例えば、ビーコン／インプレッション要求２１２）を受信し、且つビーコン要求内の情報（例えば、識別子２１４及びオブジェクト特性２１０ａ〜ｄ）に基づいて、様々なメディアオブジェクト（例えば、メディアオブジェクト１０４ａ〜ｄ）に対するインプレッション及び／又は人口統計インプレッションのログをとる、例示的な装置２１６が設けられる。例示的な装置２１６には、例示的なインプレッションモニタ２１８、例示的な認定付与部（ｃｒｅｄｉｔｏｒ：クレジタ）２２０、例示的なパネリストプロフィール検索部２２２、例示的なパネルデータベース２２４、例示的な人口統計情報訂正部２２６、例示的な人口統計情報コレクタ２２８、例示的なアトリビュータ（ａｔｔｒｉｂｕｔｏｒ）２３０、及び例示的なレポート生成部２３２が設けられる。例示的なインプレッションモニタ２１８、例示的なクレジタ２２０、例示的なパネリストプロフィール検索部２２２、例示的なパネルデータベース２２４、例示的な人口統計情報訂正部２２６、例示的な人口統計情報コレクタ２２８、例示的なアトリビュータ２３０、及び例示的なレポート生成部２３２は、ＡＭＥ２０２に１つ又は複数の装置として構成されてもよい。
【００４７】
[0047]図示された例のインプレッションモニタ２１８は、受信されたビーコン／インプレッション要求（例えば、ビーコン／インプレッション要求２１２）に基づいて、メディアのインプレッション（例えば、メディアオブジェクト１０４ａ〜ｄのインプレッション）のログをとるために設けられる。図示された例のクレジタ２２０は、ユーザの注意を引いて、その他のメディアオブジェクト（例えば、メディアオブジェクト１０４ａ〜ｄのうちのその他）を提示する機会を作った貢献者である、特定のメディアオブジェクト（例えば、メディアオブジェクト１０４ａ〜ｄのうちのいくつか）にコーザルクレジットを与えるために設けられる。例えば、図１及び２のメディアオブジェクトＢ１０４ｂが、ウェブページを表し、図１及び２のメディアオブジェクトＣ１０４ｃが、ウェブページを介してユーザによってアクセスされた映画予告編映像を表す場合、クレジタ２２０は、映画予告編映像にアクセスする際のユーザの関心に基づいて、ユーザの注意をウェブページに引いたことから、メディアオブジェクトＢ１０４ｂによって表されたウェブベージと、メディアオブジェクトＣ１０４ｃによって表された映画予告編映像とに、コーザルクレジットを与えることができる。ユーザが関心をもった特定のウェブページと特定の映画予告編映像の両方が、ユーザの注意を引いて、メディアオブジェクトＡ１０４ａ及びメディアオブジェクトＤ１０４ｄによって表されるその他のメディア（例えば、広告）を提示する機会を作った。したがって、インプレッションモニタ２１８によってログがとられたインプレッションは、どのメディアオブジェクトが、人々の注意を引いて、人々の関心の補足であっても又はその関心に関連していてもよい広告又はその他のメディアを提示する機会の創出をもたらしたことに対して、コーザルクレジットを与えられるべきかを確定するために、クレジタ２２０によってさらに処理されることができる。
【００４８】
[0048]上記の例は、メディアオブジェクトＣ１０４ｃが映画予告編映像であるメディア配信コンテキストに関するが、本明細書に開示された例は、その他のタイプのインターネットメディアシナリオに同様に使用されてもよい。例えば、図１及び２のメディアオブジェクト１０４ａ〜ｄは、電子商取引ウェブサイト（例えば、Ａｍａｚｏｎ．ｃｏｍ、ｅｂａｙ．ｃｏｍ、又はその他のオンライン小売店などのオンラインショッピングサイト）で提示されてもよく、ＡＭＥ２０２は、補足的な／関連のメディア及び／又は広告を提示する機会を作る、販売用の小売製品を特定することに関心をもってもよい。このような例示的なシナリオでは、図１及び２のメディアオブジェクトＢ１０４ｂは、オンライン小売店ウェブページを表し、図１及び２のメディアオブジェクトＣ１０４ｃは、ユーザがオンライン小売店からの購入に関心がある製品についての映像を表す。このような例では、特定のオンライン小売店ウェブページと、ユーザが関心をもった特定の製品の両方が、ユーザの注意を引いて、メディアオブジェクトＡ１０４ａ及びメディアオブジェクトＤ１０４ｄによって表されるその他のメディア（例えば、広告）を提示する機会を作った。このような例では、クレジタ２２０は、メディアオブジェクトＡ１０４ａ及びメディアオブジェクトＤ１０４ｄによって表されるその他のメディア（例えば、広告又はその他のメディア）の提示の機会を作ったことに対して、メディアオブジェクトＢ１０４ｂとメディアオブジェクトＣ１０４ｃに、コーザルクレジットを与える。
【００４９】
[0049]テレビ配信サービスに関連した例では、クライアントデバイス１０２は、メディアオブジェクトＢ１０４ｂによって表された特定のチャンネルに合わせられたスマートテレビであってもよい。このような例では、ユーザは、メディアオブジェクトＣ１０４ｃによって表されたテレビ番組を見るために、特定のチャンネルに引かれる。したがって、図２の図示された例のクレジタ２２０は、メディアオブジェクトＡ１０４ａ及びメディアオブジェクトＤ１０４ｄによって表されたメディア（例えば、広告又はその他のメディア）の提示の機会を作ったことに対して、合わせられたチャンネルとテレビ番組に、コーザルクレジットを与える。したがって、本明細書に開示された例は、インターネットを使用したメディア配信サービスの領域でのメディアにコーザルクレジットを与え、製品に基づいた電子商取引の領域での製品にコーザルクレジットを与え、且つインターネットを使用したストリーミングメディアサービス及びインターネットプロトコルテレビ（ＩＰＴＶ）サービスの領域でのメディア配信ネットワーク又はチャンネル及びテレビ番組にコーザルクレジットを与えるために使用されることができる。本明細書に開示された例は、人々が、関心のある情報にアクセスして、その他のメディアを同時に提示する機会の創出をもたらす、その他のタイプのメディア配信及び電子商取引の領域においても使用されてもよい。
【００５０】
[0050]図３は、その他のメディアをユーザに提示する機会を作ったとして特定されたメディアオブジェクトに、コーザルクレジットを与える、例示的な方法を図示する。図３に示された例示的な技術は、上記のように、コーザルクレジットを与えるために使用されることができる。図３の図示された例では、クレジタ２２０は、コーザルクレジット３０２及び３０４を、それぞれメディアオブジェクトＢ１０４ｂと、メディアオブジェクトＣ１０４ｃとに与える。図示された例では、メディアオブジェクトＢ１０４ｂに与えられたコーザルクレジット３０２は、メディアオブジェクトＢ１０４ｂによって作られた機会の結果として提示された、メディアオブジェクトＡ１０４ａ、メディアオブジェトＣ１０４ｃ、及びメディアオブジェクトＤ１０４ｄを特定するメディア識別子を参照する。図示された例では、コーザルクレジット３０４は、メディアオブジェクトＣ１０４ｃによって作られた機会の結果として提示された、メディアオブジェクトＡ１０４ａ、メディアオブジェトＢ１０４ｂ、及びメディアオブジェクトＤ１０４ｄを特定するメディア識別子を参照する。このように、図３の図示された例では、クレジタ２２０は、互いに、またメディアオブジェクト１０４ａ及び１０４ｄを提示する機会を作ったことに対して、コーザルクレジット３０２及び３０４を、それぞれメディアオブジェクト１０４ｂと１０４ｃとに与える。
【００５１】
[0051]いくつかの例では、クレジタ２２０は、メディアオブジェクトの階層的ランク付けに基づいて、コーザルクレジットを与えるように構成される。すなわち、図示された例のクレジタ２２０は、下位メディアオブジェクトを提示する機会をもたらしたことに対して、上位メディアオブジェクトにコーザルクレジットを与えてもよい。図４は、階層的ランク付けシステムに基づいて、メディアオブジェクトに、下位コーザルクレジットを与える、例示的な方法を図示する。図４の図示された例は、メディアオブジェクトＣ１０４ｃが、メディアオブジェクト１０４ａ及び１０４ｄより上位にランク付けされていて、メディアオブジェクトＢ１０４ｂが、メディアオブジェクト１０４ａ、１０４ｃ、及び１０４ｄより上位にランク付けされている、階層的ランク付け構造４００を示す。このような例では、クレジタ２２０は、メディアオブジェクトＢ１０４ｂに対して階層的に下位にあるメディアオブジェクト１０４ａ、１０４ｃ、及び１０４ｄを提示するために作られた機会に対応するコーザルクレジット４０２を、メディアオブジェクトＢ１０４ｂに与える。さらに、クレジタ２２０は、メディアオブジェクトＣ１０４ｃに対して階層的に下位にあるメディアオブジェクト１０４ａ及び１０４ｄを提示するために作られた機会に対応するコーザルクレジット４０４を、メディアオブジェクトＣ１０４ｃに与える。メディアオブジェクト１０４ａ及び１０４ｄに加えて、メディアオブジェクトＢ１０４ｂを提示する機会を作ったことに対して、メディアオブジェクトＣ１０４ｃにクレジット付けする、図３のコーザルクレジット３０４とは違って、図４の図示された例のクレジタ２２０は、メディアオブジェクトＣ１０４ｃが、例示的な階層的ランク付け構造４００において、優先順位の低いランクを有することから、メディアオブジェクトＢ１０４ｂを提示する機会に対応するコーザルクレジットを、メディアオブジェクトＣ１０４ｃには与えない。さらに、クレジタ２２０は、メディアオブジェクト１０４ａ及び１０４ｄが、図示された階層的ランク付け構造４００において、優先順位の低いランクを有することから、メディアオブジェクト１０４ｂ及び１０４ｃを提示する機会に対応するコーザルクレジットを、メディアオブジェクト１０４ａ及び１０４ｄには与えない。また、メディアオブジェクト１０４ａ及び１０４ｄが、階層的ランク付け構造４００において、同じレベル（例えば、ランクレベル３）にランク付けされていることから、クレジタ２２０は、メディアオブジェクト１０４ａ及び１０４ｄに、互いの提示に関するコーザルクレジットは何も与ない。すなわち、図示された例のクレジタ２２０は、下位メディアオブジェクトのインプレッションに対して、メディアオブジェクトに下位コーザルクレジットを与えるが、上位ランク又は同じランクのメディアオブジェトのインプレッションに対しては、メディアオブジェクトに下位コーザルクレジットを与えないように構成される。
【００５２】
[0052]図示された例では、メディアオブジェクトＢ１０４ｂは、下位メディアオブジェクトＡ１０４ａ、Ｂ１０４ｃ、及びＤ１０４ｄに対して上位オブジェクトである。いくつかの例では、上位オブジェクトは、マスターオブジェクトでもある。図示された例のクレジタ２２０は、メディアオブジェクト１０４ａ〜ｄのうちのどれが、上位オブジェクト識別子に基づいて、コーザルクレジット３０２でクレジット付けされる上位オブジェクトであるかを確定する。例えば、クレジタ２２０が、メディアオブジェクトＢ１０４ｂ内の上位オブジェクト識別子を特定すると、クレジタ２２０は、メディアオブジェクトＢ１０４ｂが、下位メディアオブジェクト１０４ａ、１０４ｃ、１０４ｄを提示する機会を作ったことに対して、コーザルクレジット３０２を与えられる、上位オブジェクトであることを確定する。
【００５３】
[0053]メディアオブジェクトは、様々な事象又は基準に基づいて、上位のオブジェクトであることができる。いくつかの例では、ユーザによって要求されたメディア（例えば、映画、テレビ番組、スポーツイベントストリーム又は映像、ニュースストリーム又は映像など）は、上位オブジェクトと呼ばれ、その他の並置、埋め込み、又は連続的提示メディアオブジェクト（例えば、広告又はメディア）は、上位オブジェクトに対する下位メディアオブジェクトである。いくつかの例では、別のメディアオブジェクトによって呼び出されたメディアオブジェクトは、そのオブジェクトを呼び出したメディアオブジェクトに対する下位オブジェクトである。例えば、ユーザによって要求された主映像オブジェクト（例えば、映画、テレビ番組、ニュース映像、スポーツ映像など）は、広告オブジェクトを呼び出してもよい。このように、下位オブジェクト（例えば、第１レベルの下位オブジェクト）は、別の下位オブジェクト（例えば、第２レベルの下位オブジェクト）に対する上位オブジェクトとなってもよい。いくつかの例では、上位オブジェクト又はマスターオブジェクトは、どのオブジェクトが呼出し人のオブジェクト（例えば、上位オブジェクト）で、どのオブジェクトが呼び出されたオブジェクト（例えば、上位オブジェクトによって呼び出された下位オブジェクト）であるかを追跡し、クレジタ２２０が、上位オブジェクトと下位オブジェクトを特定し、どのメディアオブジェクトがコーザルクレジットを与えられるべきかを確定できるようにする。
【００５４】
[0054]メディアオブジェクトの階層的優先順位は、メディアオブジェクトに対するインプレッションが互いに対してどのように分析されるかを定めるＡＭＥ２０２（図２）、メディア発行者（複数可）１０６（図１）、及び／又はその他の任意のエンティティによって定められてもよい。いくつかの例では、優先順位は、メディアオブジェクトのオブジェクト特性２１０ａ〜ｄの一部として、メディアオブジェクト内に提供されていてもよい。他の例では、階層的ランク付けは、ビーコン要求とは別個のプロセスとして、ＡＭＥ２０２に提供されてもよい。例えば、ＡＭＥ２０２は、ビーコニングに参加する全てのメディアオブジェクトに対する階層的ランク付けのリストを受信してもよく、ＡＭＥ２０２は、後で、受信されたビーコン要求に基づいてインプレッションのログをとる毎に、階層的ランク付けのリストを使用してもよい。いくつかの例では、メディアオブジェクト１０４ａ〜ｄには、メディアオブジェクト１０４ａ〜ｄがアクセスされると、クライアントデバイス１０２に、１つ又は複数の特定サーバ（例えば、優先順位を定め、格納し及び／又は配信する、メディア発行者（複数可）１０６、ＡＭＥ２０２、及び／又はその他の任意のエンティティのうちの１つ又は複数のサーバ）から優先順位を要求、検索させるハイパーリンクが提供される。このようにして、優先順位を定めるメディア発行者（複数可）１０６、ＡＭＥ２０２、及び／又はその他の任意のエンティティは、メディアオブジェクト１０４ａ〜ｄを変更又は更新する必要なく、優先順位を変更することができる。
【００５５】
[0055]図２に戻って参照すると、図示された例のパネリストプロフィール検索部２２２は、ビーコン／インプレッション要求２１２の識別子２１４がＡＭＥ２０２のパネルメンバに対応する場合、パネルデータベース２２４から、パネリストに対応する人口統計情報を検索するために設けられる。図示された例では、ＡＭＥ２０２は、パネリストの人口統計情報を、パネルデータベース２２４に格納する。視聴者メンバのパネルを生成、維持するために、ＡＭＥ２０２は、モニタされることに同意する人々をパネルに登録する。登録中、ＡＭＥ２０２は、登録している人々から人口統計情報を受信し、ログがとられたインプレッションと、様々な人口統計情報セグメントに対応するパネリストとの間のその後の相関関係が築かれてもよい。いくつかの例では、パネルデータベース２２４は、パネルメンバに関連付けられた購買行動、製品への親近感（ｐｒｏｄｕｃｔ−ａｆｆｉｎｉｔｙ）情報、及び／又は、その他の消費者行動及び／又は関心も格納する。ＡＭＥ２０２は、このような情報を、直接パネルメンバから、及び／又はパネルメンバのオンライン行動を観察することによって時間とともに、収集してもよい。このようにして、ＡＭＥ２０２が、パネルメンバに対応するインプレッションのログをとると、ＡＭＥ２０２は、このようなインプレッションを、パネルデータベース２２４に格納された人口統計情報、購買行動、製品への親近感情報、及び／又は、その他の任意の消費者行動及び／又は関心に関連付けることができる。パネリストプロフィール検索部２２２が、ビーコン要求（例えば、ビーコン／インプレッション要求２１２）内で特定された様々なユーザに対する人口統計情報を検索することを可能にするため、パネルデータベース２２４は、それらのパネルメンバの対応する人口統計情報に関連付けて、パネルメンバの基準識別子を格納する。
【００５６】
[0056]図２の図示された例の人口統計情報コレクタ２２８は、データベース所有者２０４のうちの１つ又は複数から、人口統計情報を得るために設けられる。このような人口統計情報を、データベース所有者２０４から得る様々な技術が、図５〜７に関連して以下に説明される。本明細書に開示された例では、データベース所有者２０４は、ユーザ登録モデルに基づいて動作するエンティティである。本明細書で使用される際には、ユーザ登録モデルは、ユーザが、アカウントを作成して、自分自身についての人口統計関連情報を提供することによって、それらのエンティティのサービスに登録するモデルである。いくつかの例では、データベース所有者２０４において格納され、その所有者によって提供される人口統計情報は、データベース所有者２０４の登録済みユーザに関連付けられた購買行動、製品への親近感情報、及び／又は、その他の消費者行動及び／又は関心を含んでもよい。データベース所有者２０４は、このような情報を、直接登録済みユーザから、及び／又は登録済みユーザのオンライン行動を観察することによって時間とともに、収集してもよい。
【００５７】
[0057]データベース所有者２０４の登録済みユーザに関連付けられた人口統計情報を共有することによって、ＡＭＥ２０２は、外部ソース（例えば、データベース所有者２０４）からの実質的に信頼できる人口統計情報を用いて、パネルデータベース２２４内の自分のパネルデータを、拡張又は補完することができ、これによって、ＡＭＥ２０２によって収集された人口統計情報に基づいた視聴者測定の範囲、正確さ、及び／又は完全性を拡張する。データベース所有者２０４へのこのようなアクセスは、ＡＭＥ２０２が、これが行われていなければＡＭＥ２０２のパネルに参加していなかったであろう人々をモニタすることも可能にする。個人群の人口統計情報を特定するデータベースを有するエンティティであれば、ＡＥＭ２０２と連携してもよい。このようなエンティティは、本明細書で「データベース所有者」と呼ばれ、Ｆａｃｅｂｏｏｋ、Ｇｏｏｇｌｅ、Ｙａｈｏｏ！、ＭＳＮ、Ｔｗｉｔｔｅｒ、Ａｐｐｌｅ  ｉＴｕｎｅｓ、Ｅｘｐｅｒｉａｎなどのエンティティを含んでもよい。
【００５８】
[0058]図示された例の人口統計情報訂正部２２６は、対応するメディアインプレッションに対して、データベース所有者２０４から受信された人口統計情報を、パネルデータベース２２４に格納されたパネリスト人口統計情報と対比して分析して、データベース所有者２０４からの人口統計情報を訂正又は調整するために設けられる。本明細書に開示された例では、パネルデータベース２２４に格納されたパネリスト人口統計情報は、パネリストを新しく加入させ、それらパネリストの人口統計情報を収集するために、ＡＭＥ２０２によって使用される方法からもたらされるその正確さによって信頼される、確実で高品質のデータである。例えば、ＡＭＥ２０２は、パネリストの直接の又は電話による面接を行い、収集された人口統計データの正確さを確認してもよい。さらに、ＡＭＥ２０２は、代行者を採用して、パネルデータベース２２４内の人口統計情報を、不正確又は欠落情報がないかに関して再調査し、パネルメンバに連絡して人口統計情報を訂正してもよい。さらに、ＡＭＥ２０２は、事実に即した完全で正確な人口統計情報と引き換えに、パネルメンバに金銭的報酬又はその他の形の報酬を与えることによって、パネルメンバに人口統計情報を提供する気を起こさせてもよい。これによって、人口統計情報訂正部２２６は、正確なパネリスト人口統計情報に基づいて、データベース所有者２０４から受信された人口統計情報を訂正してもよい。例えば、特定のメディアオブジェクト（例えば、メディアオブジェクト１０４ａ〜ｄのうちの１つ）に対してログがとられたメディアインプッションでは、人口統計情報訂正部２２６は、特定のメディアオブジェクトに露出されたことが分かっているパネリストのパネルデータベース２２４から、パネリスト人口統計情報を受信する。人口統計情報訂正部２２６はまた、データベース所有者２０４から人口統計情報を受信する。いくつかの例では、データベース所有者２０４は、集約人口統計情報を提供する。集約人口統計情報は、特定のメディアオブジェクトに露出された人々のグループに対する様々な人口統計情報セグメント（例えば、女性又は男性のユーザの割合、様々な年齢層バケットにわたるユーザの割合など）を示すために結合された、多数のユーザの人口統計情報を含む。データベース所有者２０４によって収集された人口統計情報は、人々がデータベース所有者２０４のサービスに登録する場合の登録プロセス中の誠実さの欠如、物忘れ、誤解などのために、パネリスト人口統計情報よりも正確さが低くなる場合がある。このため、パネルデータベース２２４に格納されたパネリスト人口統計情報に基づいて、データベース所有者２０４から受信された人口統計情報に、調整又は訂正を施すために、例示的な人口統計情報訂正部２２６が設けられる。例えば、パネルデータベース２２４からのパネリスト人口統計情報が、特定のメディアに露出されたパネルメンバの高い割合が、３５〜４０歳の年齢層バケットに一致することを示し、データベース所有者２０４からの人口統計情報が、１８〜２１歳及び７５歳以上の年齢層バケットにおいて、有意の外れ値を示す場合、人口統計情報訂正部２２６は、外れ値人口統計情報を調整して、パネルデータベース２２４から観察されたより顕著な年齢層バケットとよりよく整合することができる。
【００５９】
[0059]図示された例では、アトリビュータ２３０は、人口統計情報を、メディアオブジェクト（例えば、メディアオブジェクト１０４ａ〜ｄ）にアトリビュートするために設けられる。本明細書に記載されたいくつかの例は、ユーザの同じ人口統計情報を、クライアントデバイスで同時に提示された複数のメディアオブジェクトにアトリビュートすることを可能にする。例えば、図２の図示された例では、クライアントデバイス１０２は、メディアオブジェクト１０４ａ〜ｄを同時に提示し、メディアオブジェクトＡ１０４ａ内のビーコン命令２０８は、クライアントデバイス１０２に、オブジェクト特性２１０ａ〜ｄと識別子２１４を、ビーコン／インプレッション要求２１２で、ＡＭＥ２０２へ送信させる。ビーコン要求２１４内の情報に基づいて、アトリビュータ２３０は、識別子２１４に対応する同じユーザが、メディアオブジェクト１０４ａ〜ｄの全てに露出されたことを確定することができる。これにより、図示された例のアトリビュータ２３０は、ユーザに対応する（例えば、識別子２１４に対応する）人口統計情報を、人口統計情報訂正部２２６から受信し、人口統計情報を、ビーコン／インプレッション要求２１２内のオブジェクト特性２１０ａ〜ｄによって表されるメディアオブジェクト１０４ａ〜ｄの全てに対する、ログがとられたインプレッションにインピュートする（又は関連付ける）。このようにして、アトリビュータ２３０は、同じ人口統計情報を、１回のビーコン／インプレッション要求２１２からログがとられた複数のインプレッションに関連付けることができ、インプレッションのログをとるためにクライアントデバイス１０２が必要とする通知の回数（例えば、ビーコン要求）と、クライアントデバイス１０２で提示された多数のメディアオブジェクトに対応する人口統計情報を有利に減らす。
【００６０】
[0060]図示された例では、様々なメディアオブジェクト（例えば、メディアオブジェクト１０４ａ〜ｄ）に対するログがとられたインプレッションの様々な人口統計情報セグメントの統計値を示す、人口統計に基づくインプレッションレポートを生成するために、レポート生成部２３２が設けられる。図示された例では、ＡＭＥ２０２は、このような人口統計に基づくインプレッションレポートを、広告主、製品製造メーカ、サービスプロバイダ、メディア制作者、メディア配信者、メディアネットワーク、及び／又は、メディアの考案、制作、及び／又は配信に関心のあるその他のエンティティ、及び／又は、広告スペースの購入及び／又は販売に関心のあるその他のエンティティに、販売及び／又は提供してもよい。このような人口統計に基づくインプレッションレポートは、メディアの考案、制作、及び／又は配信においてどこに金を掛けるか、及び／又は、特定の人口統計情報セグメントに届くためにどこに広告費を掛けるか、を決定する際、エンティティを手助けすることができる。
【００６１】
[0061]例示的な装置２１６を実施する例示的な方法が図２に図示されているが、図２に図示された要素、プロセス及び／又はデバイスのうちの１つ又は複数は、その他の任意の方法で組み合わせられ、分割され、再構成され、省略され、除外され、及び／又は実装されてもよい。さらに、図２の例示的なインプレッションモニタ２１８、例示的なクレジタ２２０、例示的なパネリストプロフィール検索部２２２、例示的なパネルデータベース２２４、例示的な人口統計情報訂正部２２６、例示的な人口統計情報コレクタ２２８、例示的なアトリビュータ２３０、及び例示的なレポート生成部２３２が、及び／又は、より全体的には、例示的な装置２１６が、ハードウェア、ソフトウェア、ファームウェア、及び／又は、ハードウェア、ソフトウェア及び／又はファームウェアの任意の組み合わせによって実装されてもよい。これによって、例えば、例示的なインプレッションモニタ２１８、例示的なクレジタ２２０、例示的なパネリストプロフィール検索部２２２、例示的なパネルデータベース２２４、例示的な人口統計情報訂正部２２６、例示的な人口統計情報コレクタ２２８、例示的なアトリビュータ２３０、及び例示的なレポート生成部２３２のいずれか、及び／又は、より全体的には、例示的な装置２１６は、１つ又は複数のアナログ若しくはデジタル回路、論路回路、プログラマブルプロセッサ（複数可）、特定用途向け集積回路（複数可）（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブルロジックデバイス（複数可）（ＰＬＤ：Ｐｒｏｇｒａｍｍａｂｌｅ  Ｌｏｇｉｃ  Ｄｅｖｉｃｅ）及び／又はフィールドプログラマブルロジックデバイス（複数可）（ＦＰＬＤ：Ｆｉｅｌｄ  Ｐｒｏｇｒａｍｍａｂｌｅ  Ｌｏｇｉｃ  Ｄｅｖｉｃｅ）によって実装される可能性がある。単なるソフトウェア及び／又はファームウェアの実装を範囲に含む本特許の装置又はシステムの請求項のいずれかを読む際には、例示的なインプレッションモニタ２１８、例示的なクレジタ２２０、例示的なパネリストプロフィール検索部２２２、例示的なパネルデータベース２２４、例示的な人口統計情報訂正部２２６、例示的な人口統計情報コレクタ２２８、例示的なアトリビュータ２３０、及び／又は例示的なレポート生成部２３２のうちの少なくとも１つは、ソフトウェア及び／又はファームウェアを格納する、メモリ、デジタル多用途ディスク（ＤＶＤ：Ｄｉｇｉｔａｌ  Ｖｅｒｓａｔｉｌｅ  Ｄｉｓｋ）、コンパクトディスク（ＣＤ：Ｃｏｍｐａｃｔ  Ｄｉｓｋ）、Ｂｌｕ−ｒａｙ［登録商標］ディスクなどの、有形のコンピュータ可読記憶デバイス又は記憶ディスクを含むことが、本明細書において明確に定義される。さらにまた、図２の例示的な装置２１６は、１つ又は複数の要素、プロセス及び／又はデバイスを、図２に図示されたそれらに追加して、若しくはそれらの代わりに含んでもよく、及び／又は、図示された要素、プロセス及びデバイスのうちの１つよりも多いいずれか、若しくは全てを含んでもよい。
【００６２】
[0062]図５は、クライアントデバイスが、図２のＡＭＥ２０２と分散型データベース所有者２０４に、インプレッションを報告することに基づいて、図２のＡＭＥ２０２が、インプレッションと人口統計情報を収集することのできる、例示的な方法の通信フロー図５００である。例示的な通信フロー図５００は、図２の例示的な装置２１６が、クライアントデバイス（例えば、クライアントデバイス１０２）によって報告されたインプレッションのログをとる、例示的な方法を示す。図５で示された例示的な一連の事象は、クライアントデバイス１０２が、タグ付きメディア（例えば、図１及び２のタグ付きメディアオブジェクト１０４ａ〜ｄのうちの１つ又は複数）にアクセスするときに起こる。これによって、図５の事象は、クライアントが、ＨＴＴＰ要求を、この例では、ＡＭＥ２０２にインプレッション要求（例えば、ビーコン／インプレッション要求２１２）を転送するようにタグ付けされたメディアに対するサーバ（例えば、図１のメディアプロバイダ１０６のうちの１つ又は複数）へ送信するときに始まる。図５の図示された例では、クライアントデバイス１０２は、メディアプロバイダ（例えば、図１のメディアプロバイダ１０６のうちの１つ）から、要求されたメディアオブジェクトＡ１０４ａを受信する。いくつかの例では、クライアントデバイス１０２は、関心のあるメディア（例えば、ｗｗｗ．ｗｅａｔｈｅｒ．ｃｏｍ）を含むウェブページを要求し、要求されたウェブページは、関心のあるメディアを含み、ウェブページ内にダウンロードされ、レンダリングされた広告にリンクする。広告は、初めに要求された関心のあるメディアとは異なるサーバから来てもよい。
【００６３】
[0063]図示された例では、メディアオブジェクトＡ１０４ａは、ビーコン命令２０８（及び、図５に示されていない図２のコレクタ命令２０６）でタグ付けされる。ビーコン命令２０８は、クライアントデバイス１０２がメディアオブジェクトＡ１０２ａにアクセスするときに、クライアントデバイス１０２に、ビーコン／インプレッション要求２１２を、インプレッションモニタ２１８へ送信させる。図示された例では、クライアントデバイス１０２は、例えば、第１のインターネットドメインにある、インプレッションモニタ２１８のＵＲＬ宛てのＨＴＴＰ要求を使用して、ビーコン／インプレッション要求２１２を送信する。図示された例のビーコン／インプレッション要求２１２は、図１及び２のメディアオブジェクト１０４ａ〜ｄの全てに対するメディアオブジェクト特性２１０ａ〜ｄを含む。図示された例では、コレクタ命令２０６は、クライアントデバイス１０２に、メディアオブジェクト１０４ａ〜ｄからメディアオブジェクト特性２１０ａ〜ｄを収集させる。コレクタ命令２０６は、メディアオブジェクトＡ１０４ａがクライアントデバイス１０２に配信されるか、又はクライアントデバイス１０２が、サーバからコレクタ命令２０６を要求するビーコン／インプレッション要求２１２の前に、ビーコン要求を送信してもよいときに、メディアオブジェクトＡ１０４ａに提供されてもよい。いずれの場合でも、メディアオブジェクト特性２１０ａ〜ｄを報告することによって、本明細書に開示された例は、提示されたメディアオブジェクトの全てについての情報（例えば、メディアオブジェクト特性２１０ａ〜ｄ）を含む１回のビーコン要求（例えば、ビーコン／インプレッション要求２１２）を使用して、クライアントデバイスで提示された複数のメディアオブジェクト（例えば、メディアオブジェクト１０４ａ〜ｄ）に対する複数のインプレッションを報告するために、使用されることができる。１回のビーコン要求で複数のインプレッションを報告するこのような例示的な方法は、クライアントデバイス、受信サーバ（例えば、インプレッションモニタ２１８）、及びネットワークの必要とされる帯域幅と処理リソースの量を減らす。さらに、図示された例のビーコン／インプレッション要求２１２は、図２で示されているように、識別子２１４を含む。他の例では、例えば、インプレッションモニタ２１８が、ビーコン／インプレッション要求２１２を受信することに応じて、クライアントデバイス１０２が、ＡＭＥ２０２のサーバによって送信された要求を受信するまで、識別子２１４は、送信されなくてもよい。
【００６４】
[0064]ビーコン／インプレッション要求２１２の受信に応じて、インプレッションモニタ２１８は、ビーコン／インプレッション要求２１２に含まれたメディアオブジェクト特性２１０ａ〜ｄを記録することによって、メディアオブジェクト１０４ａ〜ｄの全てに対するインプレッションのログをとる。いくつかの例では、インプレッションモニタ２１８は、メディアオブジェクト特性２１０ａ〜ｄに基づいて確定されるメディア識別情報を記録することによって、インプレッションのログをとる。例えば、メディアオブジェクト特性２１０ａ〜ｄが、コレクタ命令２０６（図２）がメディアオブジェクト１０４ａ〜ｄから収集したコード及び／又は署名を含む場合、インプレッションモニタ２１８は、当技術分野で知られている任意の適切な技術を使用して、そのコード及び／又は署名に基づいて、メディアオブジェクト１０４ａ〜ｄに対応する識別情報を調べることができる。
【００６５】
[0065]いくつかの例では、インプレッションモニタ２１８は、クライアントデバイス１０２が、識別子２１４をインプレッションモニタ２１８へ送信するか否かに関わらず、インプレッションのログをとる。しかし、クライアントデバイス１０２が、識別子２１４を送信し、識別子２１４が、パネリストメンバ（例えば、図２のパネリストデータベース２２４に格納されたプロフィールに対応するパネリスト）のユーザＩＤに一致する場合、メディアオブジェクト１０４ａ〜ｄに対するログがとられたインプレッションは、ＡＭＥ２０２のパネリストに対応することとなる。識別子２１４が、ＡＭＥ２０２のパネリストに対応しない場合、インプレッションモニタ２１８は、ビーコン／インプレッション要求２１２に基づいてログがとられたインプレッションに対するユーザＩＤ記録（以て、対応する人口統計情報）をもたないこととなる場合でも、メディアオブジェクト１０４ａ〜ｄに対するインプレションのログをとることから依然として利益を得ることとなる。
【００６６】
[0066]図５の図示された例では、ＡＭＥ２０２のパネリスト人口統計情報を、データベース所有者２０４（図２）のうちの１つ又は複数からの人口統計情報と比較、又はその情報で補完するために（例えば、正確又は完全にするために）、インプレッションモニタ２１８は、ビーコン応答メッセージ５０４（例えば、第１のビーコン応答）を、例えば、第２のインターネットドメインにある、参加データベース所有者２０４のＨＴＴＰ「３０２Ｆｏｕｎｄ」リダイレクトメッセージ及びＵＲＬを含んで、クライアントデバイス１０２に返信する。図示された例では、ビーコン応答５０４内のＨＴＴＰ「３０２Ｆｏｕｎｄ」リダイレクトメッセージは、第２のビーコン要求５０８をデータベース所有者Ａ２０４ａへ送信するようクライアントデバイス１０２に命令する。他の例では、ＨＴＴＰ「３０２Ｆｏｕｎｄ」リダイレクトメッセージを使用せずに、リダイレクトは、例えば、その後のビーコン要求（例えば、第２のビーコン要求５０８）を、参加データベース所有者２０４へ送信するようクライアントデバイスに命令することのできる、ｉｆｒａｍｅ（インラインフレーム）ソース命令（例えば、＜ｉｆｒａｍｅ  ｓｒｃ＝“”＞）又はその他の任意の命令を使用して、代わりに実施されてもよい。図示された例では、インプレッションモニタ２１８は、ルール及び／又はその他の任意の適切なタイプの選択基準若しくはプロセスを使用して、ビーコン応答５０４内で特定されたデータベース所有者２０４ａを確定する。いくつかの例では、インプレッションモニタ２１８は、例えば、どのデータベース所有者が、識別子２１４に対応するユーザに対する人口統計データを有している可能性が最も高いかを示す経験的データに基づいて、ビーコン要求をリダイレクトする特定のデータベース所有者を確定する。いくつかの例では、ビーコン命令２０８は、クライアントデバイス１０２が、続くビーコン要求５０８を送信すべき１つ又は複数のデータベース所有者２０４の所定のＵＲＬを含む。他の例では、同じデータベース所有者は、常に第１のリダイレクトメッセージ（例えば、ビーコン応答５０４）で特定され、第１のデータベース所有者２０４ａが、識別子２１４（図２）を、その登録済みユーザの１人に対応するとして特定することができず（これによって、識別子２１４に対応する人口統計情報をもたず）、及び／又はメディアオブジェクト１０４ａ〜ｄに対するインプレッションのログをとらない場合、そのデータベース所有者は、常にクライアントデバイス１０２を、ビーコン応答５１２を介して、同じ第２のデータベース所有者２０４ｂへリダイレクトする。
【００６７】
[0067]いくつかの例では、ビーコン応答５０４をクライアントデバイス１０２へ送信する前に、インプレッションモニタ２１８は、メディアオブジェクト１０４ａ〜ｄを配信したメディアプロバイダ（複数可）１０６（図１）のサイトＩＤ（例えば、ＵＲＬ）を、メディアプロバイダ（複数可）１０６に対応するとして、インプレッションモニタ２１８によってのみ識別可能な、変更されたサイトＩＤ（例えば、代理サイトＩＤ）と入れ替える。いくつかの例では、インプレッションモニタ２１８はまた、ホストウェブサイトＩＤ（例えば、ｗｗｗ．ａｃｍｅ．ｃｏｍ）を、ホストウェブサイトに対応するとして、インプレッションモニタシステム２１８によってのみ識別可能な、変更されたホストサイトＩＤ（例えば、代理ホストサイトＩＤ）と入れ替えてもよい。この方法で、メディアオブジェクト１０４ａ〜ｄ及び／又はホストウェブサイトのソース（複数可）は、参加データベース所有者１０４ａ〜ｄから不明瞭にされる。いくつかの例では、インプレッションモニタ２１８はまた、メディアオブジェクト特性２１０ａ〜ｄを、メディアオブジェクト特性２１０ａ〜ｄに対応する、変更されたメディア特性又は変更されたメディア識別子と入れ替える。いくつかの例では、インプレッションモニタ２１８は、ビーコン応答５０４で、サイトＩＤ、ホストサイトＩＤ、メディアオブジェクト特性２１０ａ〜ｄ又は変更されたバージョンを送信しない。
【００６８】
[0068]図示された例では、インプレッションモニタ２１８は、オリジナルサイトＩＤを、変更された（又は代理）サイトＩＤのオリジナルサイトＩＤにマッピングして、及び／又は変更されたメディア特性若しくは識別子を、メディアオブジェクト特性２１０−ｄにマッピングして、このような情報を、データベース所有者から不明瞭にする又は隠す、変更されたＩＤマッピングテーブル５１４を維持する。さらに図示された例では、インプレッションモニタ２１８は、ビーコン／インプレッション要求２１２で受信された情報と変更された情報の全てを暗号化して、傍受しているパーティが情報を復号化することを防ぐ。図示された例のインプレッションモニタ２１８は、暗号化された情報を、ビーコン応答５０４でクライアントデバイス１０２へ送信する。図示された例では、インプレッションモニタ２１８は、ＨＴＴＰ「３０２Ｆｏｕｎｄ」リダイレクトメッセージで特定された、選択されたパートナーサイトによって復号化されることのできる暗号化を使用する。
【００６９】
[0069]定期的又は不定期的に、データベース所有者２０４によって収集されたインプレッションデータは、バッチデータとして、ＡＭＥ２０２の人口統計情報コレクタ２２８に提供される。上記のように、いくつかのユーザＩＤ（例えば、図２の識別子２１４）は、ＡＭＥ２０２のパネルメンバには一致せずに、１つ又は複数のデータベース所有者２０４の登録済みユーザに一致する場合がある。ＡＭＥ２０２と参加データベース所有者２０４からの人口統計及びインプレッションデータを結合する、データ収集及びマージプロセス中、１つ又は複数のデータベース所有者２０４によってログがとられたいくつかのインプレッションのユーザＩＤは、インプレッションモニタ２１８によってログがとられたインプレッションのユーザＩＤに一致するが、その他は一致しない場合がある。いくつかの例では、ＡＭＥ２０２は、必要であれば、データベース所有者２０４によって提供された一致するユーザＩＤログからの人口統計情報に基づいたインプレッションを使用して、図２のパネルデータベース２２４に格納された自分自身の人口統計データの正確さを評価及び／又は向上させてもよい。非一致のユーザＩＤログに関連付けられた、人口統計情報に基づいたインプレッションの場合、ＡＭＥ２０２は、このようなインプレッションがＡＭＥ２０２のパネリストに関連付けられていない場合でも、インプレッション（例えば、広告インプレッション、コンテンツインプレッション、及び／又はその他の任意のメディアインプレッション）を使用して、人口統計情報に基づいたオンラインレーティングを引き出してもよい。
【００７０】
[0070]図５のビーコン命令プロセスを実施するために使用されてもよい追加の例は、参照によりその全体が本明細書に組み込まれている、Ｍａｉｎａｋ他の米国特許第８，３７０，４８９号に開示されている。さらに、このようなビーコン命令を実施するために使用されてもよい他の例は、参照によりその全体が本明細書に組み込まれている、Ｂｌｕｍｅｎａｕの米国特許第６，１０８，６３７号に開示されている。
【００７１】
[0071]図６は、ＡＭＥ２０２が、人口統計情報を、ビーコン報告毎にデータベース所有者２０４から受信することのできる、例示的な方法の通信フロー図６００を示す。図示された例の通信フロー図６００は、ＡＭＥ２０２からパートナーデータベース所有者２０４へのリダイレクトに基づいて、ＡＭＥ−データベース所有者ユーザＩＤマッピングを生成することを含む。図６の図示された例では、メディアオブジェクトＡ１０４ａは、ビーコン命令２０８（及び図６には示されていない図２のコレクタ命令２０６）でタグ付けされる。
【００７２】
[0072]図６の図示された例では、インプレッションモニタ２１８が、クライアントデバイス１０２からビーコン／インプレッション要求２１２を受信すると、インプレッションモニタ２１８は、ビーコン／インプレッション要求２１２が、クライアントデバイス１０２を特定するために、ＡＭＥ２０２によって使用されることのできるＡＭＥユーザ識別子（例えば、図２の識別子２１４）を含むか否かを確定する。いくつかの例では、ＡＭＥユーザ識別子は、ＡＭＥインターネットドメインに、ＡＭＥ２０２によって設定されるＡＭＥクッキーである。ビーコン／インプレッション要求２１２が、ＡＭＥユーザ識別子を含まない場合、インプレッションモニタ２１８は、クライアントデバイス１０２に対するＡＭＥユーザ識別子を生成する。ビーコン／インプレッション要求２１２が、ＡＭＥユーザ識別子を含む場合、インプレッションモニタ２１８は、ＡＭＥユーザ識別子が、データベース所有者２０４に対するデータベース所有者ユーザ識別子に関連付けられている（例えば、マッピングされている）か否かを確定する。データベース所有者ユーザ識別子がある場合、例示的なインプレッションモニタ２１８は、クライアントデバイス１０２に対応するＡＭＥユーザ識別子に関連付けて、インプレッションを格納する。インプレッションモニタ２１８は、ビーコン／インプレッション要求２１２に応答する場合もあれば応答しない場合もある。図示された例では、インプレッションモニタ２１８は、メディアオブジェクト１０４ａ〜ｄ（例えば、透過１×１ピクセル画像又はプレースホルダなどのその他の要求されたメディア）の表示に影響を及ぼすようには意図されない何かで、ビーコン／インプレッション要求２１２に応答する。いくつかの例では、ビーコン／インプレッション要求２１２は、応答を誘発しない。
【００７３】
[0073]図６の図示された例では、例示的なインプレッションモニタ２１８は、ビーコン／インプレッション要求２１２に応じて、リダイレクトメッセージ（例えば、ＨＴＴＰ「３０２Ｆｏｕｎｄ」リダイレクトメッセージ）を、ビーコン応答６０６でクライアントデバイス１０２へ送信する。図示された例のインプレッションモニタ２１８が、クライアントデバイス１０２に対するＡＭＥユーザ識別子（例えば、図２の識別子２１４）を生成した場合、又は既存のＡＭＥユーザ識別子に関連付けられた（例えば、マッピングされた）、クライアントデバイス１０２に対するデータベース所有者ユーザ識別子がない場合、例示的なインプレッションモニタ２１８は、ＡＭＥユーザ識別子６０２を、ビーコン応答６０６のＵＲＬパラメータに付加する。例示的なインプレッションモニタ２１８はまた、ビーコン応答６０６のＵＲＬパラメータに、データベース所有者２０４ａのインターネットアドレス６０８又は複数のデータベース所有者２０４の複数のアドレスを付加する。例えば、インプレッションモニタ２１８は、例えば、メディアがメディアプロバイダ（複数可）１０６によって配信されるユーザの期待される人口統計情報に基づいて、複数のデータベース所有者のうちの１つ又は複数を（例えば、提携するするパートナーデータベース所有者のリストから）選択してもよい。いくつかの例では、インプレッションモニタ２１８は、初期設定のデータベース所有者２０４と、１つ又は複数の代替のデータベース所有者２０４を選択する。例えば、初期設定又は代替のデータベース所有者２０４は、データベース所有者２０４のうちの１つが、自分が、クライアントデバイス１０２を、自分の登録済みユーザのうちの１人に対応すると認識することを確認するまで、リダイレクトされたビーコン要求６１２を、順次に複数のデータベース所有者２０４へ送信するために、クライアントデバイス１０２によって使用されてもよい。
【００７４】
[0074]例示的なクライアントデバイス１０２は、ビーコン応答６０６を受信し、ビーコン要求６１２を、インターネットアドレス６０８に基づいて（例えば、使用して）、データベース所有者２０４ａへ送信する。図示された例では、クライアントデバイス１０２は、ビーコン要求６１２を、データベース所有者Ａ２０４ａのインターネットアドレス６０８へ送信し、インターネットアドレス６０８を含むＵＲＬ６１６のパラメータに、ＡＭＥユーザ識別子６０２（例えば、ＡＭＥ＿ＵＩＤ＿ｖａｌｕｅ）を含める。図示された例では、クライアントデバイス１０２は、クライアントデバイス１０２、及び／又はクライアントデバイス１０２に関連付けられた登録済みユーザを特定するための、データベース所有者２０４ａによって生成、管理されるデータベース所有者ユーザ識別子（図示せず）を有してもよい。クライアントデバイス１０２が、データベース所有者２０４ａのドメインに対するデータベース所有者ユーザ識別子を有する場合、例示的なクライアントデバイス１０２はまた、ビーコン要求６１２でデータベース所有者ユーザ識別子を提供する。いくつかの例では、ビーコン命令２０８は、クライアントデバイス１０２に、さらに、その他の情報を、メディアオブジェクトＡ１０４ａに関連したメディアＩＤ、メディアタイプＩＤ、広告キャンペーンＩＤ、プレースメントＩＤ、及び／又はその他の任意の情報などのビーコン要求６１２に置かせてもよい。
【００７５】
[0075]図示された例のデータベース所有者Ａ２０４ａが、ビーコン要求６１２を受信すると、データベース所有者Ａ２０４ａは、ＡＭＥユーザＩＤ６０２が、ビーコン要求６１２で、クライアントデバイス１０２によって提供されたか否かを確定する。ビーコン要求６１２が、ＡＭＥユーザＩＤ６０２を含む場合、例示的なデータベース所有者２０４ａは、ＡＭＥユーザＩＤ６０２を、データベース所有者ユーザＩＤ６２２（例えば、ＤＢＰ＿ＵＩＤ）にマッピングする。図示された例では、データベース所有者Ａ２０４ａは、マッピングされたＡＭＥユーザＩＤ６０２とデータベース所有者ユーザＩＤ６２２を、ＡＭＥ２０２のインターネットアドレスを含むＵＲＬ６１８に、パラメータとして置く（例えば、ＡＭＥユーザ識別子６０２とデータベース所有者ユーザＩＤ６２２との間の関連付けを格納する）。データベース所有者Ａ２０４ａは、ＵＲＬ６１８を使用して、ＡＭＥユーザ識別子６０２とデータベース所有者ユーザ識別子６２２との間のマッピングを示すメッセージを、例示的な人口統計情報コレクタ２２８へ送信する。このように、図示された例では、ＵＲＬ６１８を使って送信されたメッセージは、ビーコン／インプレッション要求２１２に基づいて、インプレッションモニタ２１８によってログがとられたインプレッション（複数可）に対する、ＡＭＥユーザ識別子６０２とデータベース所有者ユーザ識別子６２２との間のマッピングを、ＵＲＬ６１８のパラメータとして提供する。
【００７６】
[0076]図６の図示された例では、ＵＲＬ６１８は、ＵＲＬ６１８のパラメータとして、データベース所有者Ａ２０４ａに知られているクライアントデバイス１０２に関連付けられた人口統計情報６２６（例えば、クライアントデバイス１０２のユーザに対する人口統計情報）をさらに含む。人口統計情報６２６は、年齢（Ｙ＿Ａｇｅ＝４５）と性別（Ｙ＿Ｇｅｎｄｅｒ＝Ｍ）を含む。しかし、その他の任意のタイプの人口統計情報が、追加として又は代替として、ＵＲＬ６１８内に提供されていてもよい。いくつかの例では、ＵＲＬ６１８は、ユーザ識別子マッピングのタイムスタンプをさらに含む。他のいくつかの例では、インプレッションモニタ２１８及び／又は人口統計情報コレクタ２２８は、マッピングプロセス中へ送信、受信されたＨＴＴＰメッセージから引き出されたタイムスタンプを格納する。いくつかの例では、ＡＭＥユーザ識別子６０２は、一意であるため、ＡＭＥユーザ識別子６０２及び／又はデータベース所有者ユーザ識別子６２２を、インプレッションデータにマッチングさせる際に、タイムスタンプは必要ではない。
【００７７】
[0077]図示された例では、人口統計情報コレクタ２２８は、ＡＭＥユーザ識別子６０２とデータベース所有者識別子６２２との間のマッピングを格納し、マッピングされた識別子に関連して、人口統計情報６２６を格納する。同じＡＭＥユーザ識別子６０２に対する、クライアントデバイス１０２から受信されるその後のビーコン要求では、例示的なインプレッションモニタ２１８は、対応するインプレッションのログをとり、ユーザデバイス１０２にリダイレクトする必要はなく、データベース所有者２０４ａへの通信を減らす。
【００７８】
[0078]人口統計情報の提供及び／又はＵＲＬパラメータ内のＡＭＥ−データベース所有者ユーザ識別子のマッピングに基づいて、人口統計インプレッションを収集するために使用されてもよい追加の例は、参照によりその全体が本明細書に組み込まれている、２０１３年６月１１日に出願された、Ｓｅｔｈ他の米国特許出願公開第１３／９１５，３８１号に開示されている。
【００７９】
[0079]図示された例では、ＡＭＥユーザ識別子６０２に関連して、ＵＲＬ６１８で、人口統計情報６２６を受信することに基づいて、ＡＭＥ２０２は、人口統計情報６２６を、インプレッションモニタ２１８が、ビーコン／インプレッション要求２１２に基づいてログをとったメディアオブジェクト１０４ａ〜ｄ（図１及び２）の全てに対するメディアインプレッションに、関連付けることができる。このように、クライアントデバイス１０２に、メディアオブジェクト１０４ａ〜ｄの全てに対するインプレッションを、１回のビーコン／インプレッション要求２１２で報告させるために、図２に示されたメディアオブジェクトＡ１０４ａ内のコレクタ命令２０６とビーコン命令２０８を使用することによって、ＡＭＥ２０２は、多数のインプレッションを報告する１回のビーコン要求（例えば、ビーコン／インプレッション要求２１２）に基づいて、データベース所有者２０４ａから受信された、対応する人口統計情報で多数のインプレッションのログをとることができる。このようにして、クライアントデバイス１０２、ネットワーク、及びサーバに必要とされる帯域幅と処理リソースは、収集されるインプレッションの数が増えている間、著しく増やされることはない。
【００８０】
[0080]図７は、ＡＭＥ２０２が、ＡＭＥ２０２とデータベース所有者２０４との間で共有される共有キー又はその他の識別情報に基づいて、データベース所有者２０４から人口統計情報を受信することができる、例示的な方法の通信フロー図７００を示す。図７の図示された例では、メディアオブジェクトＡ１０４ａのビーコン命令２０８は、クライアントデバイス１０２に、共有キー７０２を、ビーコン／インプレッション要求２１２で送信させる。図示された例の共有キー７０２は、図２の識別子２１４を実装してもよい。さらに、ビーコン／インプレッション要求２１２は、図１及び２のメディアオブジェクト１０４ａ〜ｄの全てに対するメディアオブジェクト特性２１０ａ〜ｄをさらに含む。このようにして、１回のビーコン／インプレッション要求２１２が、複数のメディアオブジェクトに対する複数のインプレッションを報告するために使用されることができる。
【００８１】
[0081]インプレッションモニタ２１８が、ビーコン／インプレッション要求２１２を受信すると、インプレッションモニタ２１８は、多数のメディアオブジェクト１０４ａ〜ｄに対応する多数のインプレッションのログをとる。さらに、インプレッションモニタ２１８は、人口統計情報要求７０４を、データベース所有者２０４のうちの１つ又は複数へ送信する。図示された例では、人口統計情報要求７０４は、共有キー７０２を含む。図示された例の共有キー７０２は、ＡＭＥ２０２と、データベース所有者２０４のうちの１つ又は複数に対して、クライアントデバイス１０２を一意に特定する識別子である。例えば、クライアントデバイス１０２を一意に特定するとして、共有キー７０２を認識する１つ又は複数のデータベース所有者２０４は、クライアントデバイスの１人又は複数人のユーザに対応する、ユーザの登録アカウントに関連付けて、共有キー７０２を格納することができる。同様に、ＡＭＥ２０２もまた、クライアントデバイス１０２に対応するユーザ（複数可）の１つ又は複数のパネルメンバ記録に関連付けて、図２のパネルデータベース２２４に、共有キー７０２を格納することができる。このようにして、インプレッションモニタ２１８と１つ又は複数のデータベース所有者２０４が、共有キー７０２を受信すると、ＡＭＥ２０２とデータベース所有者（複数可）２０４は、共有キーに基づいて、クライアントデバイス１０２に対応する人口統計情報を検索することができる。
【００８２】
[0082]図示された例では、インプレッションモニタ２１８は、暗号化されたメディアオブジェクトＩＤ（複数可）７０８を、人口統計情報要求７０４に含める。図示された例の暗号化されたメディアオブジェクトＩＤ（複数可）７０８は、図１及び２のメディアオブジェクト２０４ａ〜ｄに対応するメディア識別子である。例えば、インプレッションモニタ２１８は、ビーコン／インプレッション要求２１２内のメディアオブジェクト特性２１０ａ〜ｄから検索されたメディアオブジェクトＩＤ、及び／又はメディアオブジェクト特性２１０ａ〜ｄから得られたメディア特性に基づいて（例えば、ルックアップテーブル又はメディア基準データベースを介して）、インプレッションモニタ２１８によって確定されたメディアオブジェクトＩＤ、に基づいて暗号化されたメディアオブジェクトＩＤ（複数可）７０８を生成することができる。いずれの場合も、傍受しているパーティ及び／又はデータベース所有者２０４から、メディアオブジェクト１０４ａ〜ｄの識別子を不明瞭にするために、図示された例のインプレッションモニタ２１８は、メディアオブジェクト１０４ａ〜ｄに対応するメディアオブジェクトＩＤ（複数可）を暗号化して、暗号化されたメディアオブジェクト（複数可）７０８を生成する。いくつかの例では、データベース所有者２０４は、暗号化されたメディアオブジェクトＩＤ（複数可）７０８を復号化するための情報（例えば、暗号化キー）を提供される。他の例では、データベース所有者２０４は、暗号化されたメディアオブジェクトＩＤ（複数可）７０８を復号化しない。さらに他の例では、インプレッションモニタ２１８は、メディアオブジェクト（複数可）を暗号化せず、代わりに、メディアオブジェクトＩＤ（複数可）を不明瞭化することなく、人口統計情報要求７０４で、メディアオブジェクトＩＤ（複数可）を送信する。
【００８３】
[0083]図示された例では、データベース所有者（複数可）２０４は、共有キー７０２に対応する人口統計情報７１２を検索し、その人口統計情報７１２を、暗号化されたメディアオブジェクトＩＤ（複数可）７０８（又は暗号化されていないメディアオブジェクトＩＤ（複数可））に関連付ける。データベース所有者（複数可）２０４は、次に、人口統計情報応答７１４を、関連付けられた人口統計情報７１２及び暗号化されたメディアオブジェクトＩＤ（複数可）７０８を含んで、ＡＭＥ２０２にある人口統計情報コレクタ２２８へ送信する。このようにして、ＡＭＥ２０２は、暗号化されたメディアオブジェクトＩＤ（複数可）７０８のうちの対応するＩＤに関連付けられた人口統計情報７１２に基づいて、人口統計情報７１２を、メディアオブジェクト１０４ａ〜ｄのうちの対応するオブジェクトに対する、インプレッションモニタ２１８によってログがとられたインプレッションに関連付けることができる。図示された例では、データベース所有者（複数可）２０４は、人口統計情報７１２と暗号化されたメディアオブジェクトＩＤ（複数可）７０８に関連付けて、共有キー７０２を人口統計情報応答７１４に含める。他の例では、共有キー７０２は、人口統計情報応答７１４から省かれる。例えば、データベース所有者（複数可）２０４は、匿名の人口統計情報を返信して、ＡＭＥ２０２が、人口統計情報を、メディアインプレッションに関連付けることはできるが、どの人口統計情報が、どのクライアントデバイスに対応するかを確定することはできないようにしたいと思う場合がある。このようにして、データベース所有者（複数可）２０４は、対応する暗号化されたメディアオブジェクトＩＤ（複数可）７０８に関連付けられている人口統計情報７１２に基づいて、人口統計情報を、対応するメディアインプレッションに正確に関連付ける能力を、ＡＭＥ２０２に依然として提供しながら、クライアントデバイスと特定の人口統計情報との間の関係を不明瞭化することができる。
【００８４】
[0084]図５〜７に図示された例示的なプロセスを使用して、インプレッション（例えば、広告インプレッション、コンテンツインプレッション、及び／又はその他の任意のタイプのメディアインプレション）は、多数のメディアオブジェクト（例えば、図１及び２のメディアオブジェクト１０４ａ〜ｄ）に対する複数のインプレッションが、１回のビーコン要求（例えば、図２及び５〜７のビーコン／インプレッション要求２１２）で報告されると、対応する人口統計情報にマッピングされることができる。さらに、図５〜７の例示的なプロセスは、ビーコン要求がＡＭＥ２０２のパネルメンバに関連付けられていないクライアントデバイスから受信される場合でも、インプレッションの人口統計情報へのマッピングを可能にする。すなわち、インプレッション収集又はマージプロセス中、ＡＭＥ２０２は、（１）インプレッションモニタ２１８と（２）任意の参加データベース所有者２０４によってログがとられた、分散型インプレッションを収集することができる。結果として、収集データは、以前に可能であったよりも豊富な人口統計情報で、より多い人口を対象にする。さらに、１回のビーコン要求で複数のインプレッションを受信することによって、人口統計情報は、クライアントデバイス、ネットワーク、及び／又はサーバの帯域幅所要量若しくは処理リソース所要量を大幅に増やすことなく、大幅により多くのメディアインプレッションに関連付けられることができる。したがって、上記のように、分散型データベースのリソースをプールすることによって、正確で一貫した意味のあるオンラインレーティングの生成が可能になる。図５〜７の例示的なプロセスは、関係していないパーティ（例えば、Ｎｉｅｌｓｅｎ、Ｆａｃｅｂｏｏｋ、Ｇｏｏｇｌｅ、Ｙａｈｏｏ！など）間で分散された、多数の結合された人口統計データベースに基づいて、オンラインレーティングを生成する。参加パートナーサイトの選択ユーザは、その選択ユーザがＡＭＥ２０２によって維持されたパネルのメンバであるかのように追跡されることができるので、最終結果は、ログがとられたインプレッションにアトリビュート可能なユーザが、視聴者測定エンティティの登録済みユーザから形成された大型仮想パネルの一部であるかのように見えてくる。このことは、インターネットのプライバシプロトコル及びポリシーに背くことなく、実現される。
【００８５】
[0085]図５〜７の例は、ＡＭＥ２０２とデータベース所有者２０４との間の直接通信を示すが、他の例では、仲介サーバ（例えば、サードパーティ）が、ＡＭＥ２０２とデータベース所有者２０４との間で交換される通知及びプロセスデータを仲介するために使用されてもよい。例えば、仲介サードパーティサーバは、ＡＭＥ２０２とデータベース所有者２０４によって提供された人口統計情報をマージ及び／又は調整してもよい。仲介サードパーティサーバは、次に、ＡＭＥ２０２とデータベース所有者２０４が、人口統計情報を、対応するログがとられたインプレッションにアトリビュートできるような方法で、マージされた及び／又は調整された人口統計情報を、ＡＭＥ２０２とデータベース所有者２０４とに提供することができる。
【００８６】
[0086]図１、２、及び５〜７のクライアントデバイス１０２、及び／又は、図２の例示的な装置２１６を実施する、例示的なマシン可読命令を表すフローチャートが、図８〜１０に示される。この例では、マシン可読命令は、図１１に関連して以下に検討される例示的なプロセッサプラットフォーム１１００内に示されたプロセッサ１１１２などのプロセッサによる実行のためのプログラムを含む。プログラムは、プロセッサ１１１２に関連したＣＤ−ＲＯＭ、フロッピディスク、ハードドライブ、デジタル多用途ディスク（ＤＶＤ）、Ｂｌｕ−ｒａｙディスク、又はメモリなどの、有形のコンピュータ可読記憶媒体に格納されたソフトウェア内で具体化されてもよいが、プログラム全体及び／又はそのプログラムの部分は、代替として、プロセッサ１１１２以外のデバイスによって実行されても、及び／又はファームウェア若しくは専用のハードディスク内で具体化されてもよい。さらに、例示的なプログラムが、図８〜１０に図示されたフローチャートに関連して説明されているが、例示的なクライアントデバイス１０２及び／又は例示的な装置２１６を実施するその他の多くの方法が、代替として使用されてもよい。例えば、ブロックの実行の順番が変更されてもよく、及び／又は、説明されたブロックのいくつかが、変更、除外、又は組み合わされてもよい。
【００８７】
[0087]上記のように、図８〜１０の例示的なプロセスは、情報が任意の持続時間（例えば、長時間、永久的に、短いインスタンスの間、一時的なバッファリングの間、及び／又は情報をキャッシュする間）で格納される、ハードディスクドライブ、フラッシュメモリ、読み取り専用メモリ（ＲＯＭ：Ｒｅａｄ−Ｏｎｌｙ  Ｍｅｍｏｒｙ）、コンパクトディスク（ＣＤ）、デジタル多用途ディスク（ＤＶＤ）、キャッシュ、ランダムアクセスメモリ（ＲＡＭ：Ｒａｎｄｏｍ−Ａｃｃｅｓｓ  Ｍｅｍｏｒｙ）及び／又はその他の任意の記憶デバイス若しくは記憶ディスクなどの、有形のコンピュータ可読記憶媒体に格納された、コード化された命令（例えば、コンピュータ及び／又はマシン可読命令）を使用して、実施されてもよい。本明細書で使用される際には、有形のコンピュータ可読記憶媒体という用語は、任意のタイプのコンピュータ可読記憶デバイス及び／又は記憶ディスクを含み、且つ伝搬信号は除外するように明示的に定義される。本明細書で使用される際には、「有形のコンピュータ可読記憶媒体」と「有形のマシン可読記憶媒体」は、同じ意味で使用される。追加として又は代替として、図８〜１０の例示的なプロセスは、情報が任意の持続時間（例えば、長時間、永久的に、短いインスタンスの間、一時的なバッファリングの間、及び／又は情報をキャッシュする間）で格納される、ハードディスクドライブ、フラッシュメモリ、読み取り専用メモリ、コンパクトディスク、デジタル多用途ディスク、キャッシュ、ランダムアクセスメモリ及び／又はその他の任意の記憶デバイス若しくは記憶ディスクなどの、非一時的なコンピュータ及び／又はマシン可読媒体に格納された、コード化された命令（例えば、コンピュータ及び／又はマシン可読命令）を使用して、実施されてもよい。本明細書で使用される際には、非一時的なコンピュータ可読媒体という用語は、任意のタイプのコンピュータ可読デバイス又はディスクを含み、且つ伝搬信号は除外するように明示的に定義される。本明細書で使用される際には、「ａｔ  ｌｅａｓｔ（少なくとも）」という語句は、請求項の前文において移行句として使用される場合、「ｃｏｍｐｒｉｓｉｎｇ（を備える、を含む）」という用語がオープンエンド（ｏｐｅｎ  ｅｎｄｅｄ）であるのと同様に、この語句もオープンエンドである。
【００８８】
[0088]図８は、メディアオブジェクトインプレッションを、ＡＭＥ２０２（図２、及び５〜７）及び／又は１つ又は複数のデータベース所有者２０４（図２及び５〜７）に報告するための、図１、２、及び５〜７のクライアントデバイス１０２によって実行されてもよい、例示的なマシン可読命令を表すフロー図である。最初に、クライアントデバイス１０２は、多数のメディアオブジェクト（例えば、図１及び２のメディアオブジェクト１０４ａ〜ｄ）を受信する（ブロック８０２）。クライアントデバイス１０２は、メディアオブジェクト１０４ａ〜ｄを提示する（ブロック８０４）。例えば、クライアントデバイス１０２は、表示インタフェース及び／又はオーディオインタフェースを介して、メディアオブジェクト１０４ａ〜ｄを提示してもよい。クライアントデバイス１０２は、メディアオブジェクト１０４ａ〜ｄのうちのどれが、コレクタメディアオブジェクトであるかを確定する（ブロック８０６）。図示された例では、クライアントデバイス１０２は、図２で示されているように、メディアオブジェクトＡ１０４ａがコレクタメディアオブジェクトであることを確定する。例えば、クライアントデバイス１０２は、メディアオブジェクトＡ１０４ａに埋め込まれたコレクタ命令２０６（図２）を検出することによって、メディアオブジェクトＡ１０４ａをコレクタメディアオブジェクトとして特定してもよい。追加として又は代替として、メディアオブジェクトＡ１０４ａは、自分がコレクタメディアオブジェクトであることを、クライアントデバイス１０２に通知してもよい。
【００８９】
[0089]クライアントデバイス１０２は、コレクタ命令２０６を実行して、クライアントデバイス１０２によって提示されたメディアオブジェクトから、メディアオブジェクト特性（例えば、図２のメディアオブジェクト特性２１０ａ〜ｄ）を収集する（ブロック８０８）。図示された例では、コレクタ命令２０６は、クライアントデバイス１０２に、図２に示されたコレクタメディアオブジェクトＡ１０４ａとパッシブメディアオブジェクト１０４ｂ〜ｄから、メディアオブジェクト特性を収集させる。クライアントデバイス１０２は、メディアオブジェクト特性２１０ａ〜ｄと識別子（例えば、図２、５、６の識別子２１４、及び／又は図７の共有キー７０２）を、ビーコン要求（例えば、図２及び５〜７のビーコン／インプレッション要求２１２）内に置く（ブロック８１０）。クライアントデバイス１０２は、ビーコン／インプレッション要求２１２を、ＡＭＥ２０２へ送信する（ブロック８１２）。例えば、クライアントデバイス１０２は、図２及び５〜７に示されているように、ビーコン命令２０８（図２）に基づいたビーコン／インプレッション要求２１２を、ＡＭＥ２０２のインプレッションモニタ２１８へ送信する。
【００９０】
[0090]クライアントデバイス１０２は、ビーコン要求（複数可）を、データベース所有者（複数可）（例えば、図２及び５〜７のデータベース所有者（複数可）２０４）へ送信するか否かを確定する（ブロック８１４）。例えば、ビーコン命令２０８は、クライアントデバイス１０２が、ビーコン要求（例えば、図５のビーコン要求（複数可）５０８及び／又は図６のビーコン要求（複数可）６１２）を送信することになっている、１つ又は複数のデータベース所有者２０４のＵＲＬを含んでもよい。追加として又は代替として、クライアントデバイス１０２は、１つ又は複数のビーコン応答（例えば、図５のビーコン応答５０４及び／又は図６のビーコン応答６０６）を、インプレッションモニタ２１８から受信して、そのビーコン応答（複数可）内にある１つ又は複数のＵＲＬに基づき、１つ又は複数のビーコン要求を、１つ又は複数のデータベース所有者２０４へ送信してもよい。
【００９１】
[0091]クライアントデバイス１０２が、自分が、１つ又は複数のビーコン要求を、１つ又は複数のデータベース所有者２０４へ送信すべきでないことをブロック８１４で確定する場合、図８の例示的なプロセスは終了する。或いは、クライアントデバイス１０２が、自分が、１つ又は複数のビーコン要求を、１つ又は複数のデータベース所有者２０４へ送信すべきであることをブロック８１４で確定する場合、クライアントデバイス１０２は、どの１つ又は複数のデータベース所有者２０４が、１つ又は複数のビーコン要求の目標受信者であるかを確定する（ブロック８１６）。例えば、目標データベース所有者（複数可）２０４は、ビーコン命令２０８、及び／又はインプレッションモニタ２１８からのビーコン応答内で示されることができる。クライアントデバイス１０２は、１つ又は複数のビーコン要求（例えば、図５のビーコン要求（複数可）５０８及び／又は図６のビーコン要求（複数可）６１２）を生成する（ブロック８１８）。例えば、クライアントデバイス１０２は、図５及び／又は図６に関連して上に検討されているように、１つ又は複数のデータベース所有者へ意図されたビーコン要求（複数可）を生成することができる。クライアントデバイス１０２は、ビーコン要求（複数可）を、１つ又は複数の目標データベース所有者２０４へ送信する（ブロック８２０）。図８の例示的なプロセスは、これで終了する。
【００９２】
[0092]図９は、メディアオブジェクト（例えば、図１及び２のメディアオブジェクト１０４ａ〜ｄ）に対するインプレッションのログをとるための、ＡＭＥ２０２にある装置２１６（図２）によって実行されてもよい、例示的なマシン可読命令を表すフロー図である。最初に、インプレッションモニタ２１８（図２及び５〜７）は、クライアントデバイス１０２（図２及び５〜７）から、ビーコン／インプレッション要求２１２（図２及び５〜７）を受信する（ブロック９０２）。インプレッションモニタ２１８は、ビーコン／インプレッション要求２１２内にあるメディアオブジェクト特性２１０ａ〜ｄに基づいて、メディアオブジェクト１０４ａ〜ｄを特定する（ブロック９０４）。例えば、メディアオブジェクト特性２１０ａ〜ｄは、メディオブジェクト１０４ａ〜ｄを特定するメディアＩＤを含んでもよい。代替として、メディアオブジェクト特性２１０ａ〜ｄは、インプレッションモニタ２１８が、対応するメディアＩＤを調べて（例えば、基準メディアルックアップデータベースを使用して）、メディアオブジェクト１０４ａ〜ｄを特定するために使用してもよい、その他の特性（例えば、署名、コード、識別子、発行者のＵＲＬなど）を含んでもよい。インプレッションモニタ２１８は、メディアオブジェクト１０４ａ〜ｄに対するインプレッションのログをとる（ブロック９０６）。
【００９３】
[0093]クレジタ２２０（図２）は、メディアオブジェクト１０４ａ〜ｄに対するメディアオブジェクト階層を確定する（ブロック９０８）。例えば、メディアオブジェクト階層は、図４に関連して上に開示されているように実施されてもよい。クレジタ２２０は、メディアオブジェクト階層に基づいて、メディアオブジェクト１０４ａ〜ｄのうちの１つ又は複数に基づいて、１つ又は複数のコーザルクレジットを与える（ブロック９１０）。例えば、クレジタ２２０は、図４に関連して上に開示されているように、特定されたメディアオブジェクト階層に基づいた１つ又は複数のコーザルクレジットを、メディアオブジェクト１０４ａ〜ｄのうちで、メディアオブジェクト１０４ａ〜ｄのうちのその他のオブジェクトを提示する機会を作ることに貢献したオブジェクトに与えることができる。図９の例示的なプロセスは、これで終了する。
【００９４】
[0094]図１０は、人口統計情報を、メディアオブジェクトインプレッションに関連付けるための、ＡＭＥ２０２にある装置２１６（図２）によって実行されてもよい例示的なマシン可読命令を表すフロー図である。最初に、パネリストプロフィール検索部２２２（図２）は、クライアントデバイス１０２（図１、２、及び５〜７）が、パネルメンバに関連付けられているとして認識されているか否かを確定する（ブロック１００２）。例えば、パネリストプロフィール検索部２２２は、ビーコン／インプレッション要求２１２で受信された図２、５、及び６の識別子２１４（及び／又は図７の共有キー７０２）が、パネルメンバ記録に関連付けられて、パネルデータベース２２４に格納されているか否かを確定してもよい。クライアントデバイス１０２が、パネルメンバに関連付けられている場合、パネリストプロフィール検索部２２２は、パネルデータベース２２４から、パネルメンバに関連付けられた人口統計情報を検索する（ブロック１００４）。例えば、パネリストプロフィール検索部２２２は、識別子２１４及び／又は共有キー７０２に基づいて、人口統計情報を検索する。
【００９５】
[0095]ブロック１００４で、パネルデータベース２２４から人口統計情報を検索した後、又はパネリストプロフィール検索部２２２が、クライアントデバイス１０２がパネルメンバに関連付けられていないことを、ブロック１００２で確定する場合、人口統計情報コレクタ２２８は、データベース所有者（複数可）２０４（図２及び５〜７）のうちの１つ又は複数から、人口統計情報を受信する（ブロック１００６）。例えば、人口統計情報コレクタ２２８は、図５〜７に関連して上に説明されているように、任意のプロセスを含む任意の適切な技術を使用して、データベース所有者（複数可）２０４から、人口統計情報を受信してもよい。
【００９６】
[0096]人口統計情報訂正部２２６（図２）は、自分が、パネルデータベース２２４からの人口統計情報、及び／又はデータベース所有者（複数可）２０４からの人口統計情報を調整すべきか否かを確定する（ブロック１００８）。例えば、人口統計情報訂正部２２６は、パネルデータベース２２４からの人口統計情報を、データベース所有者（複数可）２０４からの人口統計情報と比較して分析し、且つ欠落している及び／又は不正確な人口統計情報があればそれを調整するように構成されてもよい。人口統計情報訂正部２２６が提供されていない、及び／又は機能しないいくつかの例では、装置２１６は、人口統計情報を調整しない。人口統計情報訂正部２２６が、自分が人口統計情報を調整すべきではないと確定した場合、コントロールはブロック１０１２へ進む。或いは、人口統計情報訂正部２２６が、自分が人口統計情報を調整すべきであると確定した場合（ブロック１００８）、人口統計情報を調整する（ブロック１０１０）。例えば、人口統計情報訂正部２２６は、データベース所有者（複数可）２０４からの人口統計情報を使用することによって、パネルデータベース２２４からの人口統計情報を調整して、欠落データを入力し、及び／又は不正確なデータを訂正してもよい。追加として又は代替として、人口統計情報訂正部２２６は、パネルデータベース２２４からの人口統計情報に基づいて、データベース所有者（複数可）２０４からの人口統計情報を調整して、欠落データを入力し、及び／又は不正確なデータを訂正してもよい。
【００９７】
[0097]アトリビュータ２３０（図２）は、人口統計情報を、対応するコレクタメディアオブジェクト（例えば、図２に示されているコレクタメディアオブジェクトＡ１０４ａ）のインプレッションに関連付ける（ブロック１０１２）。さらに、アトリビュータ２３０は、同じビーコン／インプレッション要求２１２を介して、コレクタメディアオブジェクトＡ１０４ａに関連して報告された１つ又は複数のパッシブメディアオブジェクトを確定する（ブロック１０１４）。例えば、アトリビュータ２３０は、インプレッションモニタ２１８によってログがとられたインプレッションを使用して、パッシブメディアオブジェクト１０４ｂ〜ｄが、コレクタメディアオブジェクトＡ１０４ａを報告した同じビーコン／インプレッション要求２１２で報告されたことを確定してもよい。アトリビュータ２３０は、人口統計情報を、対応するパッシブメディアオブジェクト（複数可）１０４ｂ〜ｄのうちの１つ又は複数のインプレッションに関連付ける（ブロック１０１６）。このようにして、アトリビュータ２３０は、コレクタメディアオブジェクトＡ１０４ａに対して検索された同じ人口統計情報を、同じビーコン／インプレッション要求２１２で報告されたパッシブメディアオブジェクト１０４ｂ〜ｄにアトリビュートすることができる。この技術は、人口統計情報を、クライアントデバイスからの１回のビーコン要求に基づいてログがとられた複数のメディアオブジェクトインプレッションに、正確に関連付けるのに有用である。したがって、クライアントデバイスは、複数のビーコン要求をＡＭＥ２０２へ送信して、複数のメディアオブジェクトに対するインプレッションを報告するための、より多くのリソースを使用しなくて済む。図１０の例示的なプロセスは、これで終了する。
【００９８】
[0098]図１１は、図１、２、５〜７のクライアントデバイス１０２及び／又は図２の装置２１６を実装するための、図８〜１０の例示的な命令を実行することができる、例示的なプロセッサプラットフォーム１１００のブロック図である。プロセッサプラットフォーム１１００は、例えば、サーバ、パーソナルコンピュータ、モバイルデバイス（例えば、携帯電話、スマートフォン、ｉＰａｄＴＭタブレットなどのタブレット）、携帯情報端末（ＰＤＡ：Ｐｅｒｓｏｎａｌ  Ｄｉｇｉｔａｌ  Ａｓｓｉｓｔａｎｔ）、インターネットアプライアンス、デジタル多用途ディスク（ＤＶＤ）プレーヤ、コンパクトディスク（ＣＤ）プレーヤ、デジタルビデオレコーダ、Ｂｌｕ−ｒａｙプレーヤ、ゲームコンソール、パーソナルビデオレコーダ、セットトップボックス、又はその他の任意のタイプのコンピューティングデバイスとすることができる。
【００９９】
[0099]図示された例のプロセッサプラットフォーム１１００は、プロセッサ１１１２を含む。図示された例のプロセッサ１１１２は、ハードウェアである。例えば、プロセッサ１１１２は、任意の望ましいファミリー又は製造メーカからの１つ又は複数の集積回路、論理回路、マイクロプロセッサ又は制御装置によって実装されることができる。
【０１００】
[00100]図示された例のプロセッサ１１１２は、ローカルメモリ１１１３（例えば、キャッシュ）を含む。図示された例のプロセッサ１１１２は、揮発性メモリ１１１４及び不揮発性メモリ１１１６を含むメインメモリと、バス１１１８を介して通信する。揮発性メモリ１１１４は、シンクロナスダイナミックランダムアクセスメモリ（ＳＤＲＡＭ：Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、ダイナミックランダムアクセスメモリ（ＤＲＡＭ：Ｄｙｎａｍｉｃ  Ｒａｎｄｏｍ  Ａｃｃｅｓｓ  Ｍｅｍｏｒｙ）、ランバスダイナミックランダムアクセスメモリ（ＲＤＲＡＭ：ＲＡＭＢＵＳ  Ｄｙｎａｍｉｃ  Ｒａｎｄｏｍ  Ａｃｃｅｓｓ  Ｍｅｍｏｒｙ）及び／又はその他の任意のタイプのランダムアクセスメモリデバイスによって実装されてもよい。不揮発性メモリ１１１６は、フラッシュメモリ及び／又はその他の任意の望ましいタイプのメモリデバイスで実装されてもよい。メインメモリ１１１４、１１１６へのアクセスは、メモリ制御装置によって制御される。
【０１０１】
[00101]図示された例のプロセッサプラットフォーム１１００は、インタフェース回路１１２０をさらに含む。インタフェース回路１１２０は、イーサネット［登録商標］インタフェース、ユニバーサルシリアルバス（ＵＳＢ：Ｕｎｉｖｅｒｓａｌ  Ｓｅｒｉａｌ  Ｂｕｓ）、及び／又はＰＣＩ  ｅｘｐｒｅｓｓインタフェースなどの、任意のタイプのインタフェース規格によって実装されてもよい。
【０１０２】
[00102]図示された例では、１つ又は複数の入力デバイス１１２２は、インタフェース回路１１２０に接続される。入力デバイス（複数可）１１２２は、ユーザがデータ及びコマンドをプロセッサ１１１２に入力することを可能にする。入力デバイス（複数可）は、例えば、音声センサ、マイクロフォン、カメラ（静止又はビデオ）、キーボード、ボタン、マウス、タッチスクリーン、トラックパッド、トラックボール、アイソポイント及び／又は音声認識システムによって実装されることができる。
【０１０３】
[00103]１つ又は複数の出力デバイス１１２４もまた、図示された例のインタフェース回路１１２０に接続される。出力デバイス１１２４は、例えば、表示デバイス（例えば、発光ダイオード（ＬＥＤ：Ｌｉｇｈｔ  Ｅｍｉｔｔｉｎｇ  Ｄｉｏｄｅ）、有機発光ダイオード（ＯＬＥＤ：Ｏｒｇａｎｉｃ  Ｌｉｇｈｔ  Ｅｍｉｔｔｉｎｇ  Ｄｉｏｄｅ）、液晶ディスプレイ、ブラウン管ディスプレイ（ＣＲＴ：Ｃａｔｈｏｄｅ  Ｒａｙ  Ｔｕｂｅ  ｄｉｓｐｌａｙ）、タッチスクリーン、触覚出力デバイス、発光ダイオード（ＬＥＤ）、プリンタ及び／又はスピーカ）によって実装されることができる。図示された例のインタフェース回路１１２０は、これによって、通常、グラフィックドライバカードを含む。
【０１０４】
[00104]図示された例のインタフェース回路１１２０は、送信器、受信器、送受信器、モデム及び／又はネットワークインタフェースカードなどの通信デバイスをさらに含んで、ネットワーク１１２６（例えば、イーサネット接続、デジタル加入者回線（ＤＳＬ：Ｄｉｇｉｔａｌ  Ｓｕｂｓｃｒｉｂｅｒ  Ｌｉｎｅ）、電話回線、同軸ケーブル、携帯電話システムなど）を介した外部マシン（例えば、任意の種類のコンピューティングデバイス）とのデータの交換を容易にする。
【０１０５】
[00105]図示された例のプロセッサプラットフォーム１１００は、ソフトウェア及び／又はデータを格納する１つ又は複数の大容量記憶デバイス１１２８をさらに含む。このような大容量記憶デバイス１１２８の例は、フロッピディスクドライブ、ハードドライブディスク、ＣＤドライブ、Ｂｌｕ−ｒａｙディスクドライブ、ＲＡＩＤシステム、及びＤＶＤドライブを含む。
【０１０６】
[00106]図示された例のコード化された命令１１３２は、図８〜１０のフロー図によって表された例示的なマシン可読命令を表す。例示的なコード化された命令１１３２は、大容量記憶デバイス１１２８、揮発性メモリ１１１４、不揮発性メモリ１１１６、及び／又はＣＤやＤＶＤなどの取り外し可能な有形のコンピュータ可読記憶媒体に格納されてもよい。
【０１０７】
[00107]上記から、クライアントデバイスで同時に提示／表示された複数のメディアオブジェクトについて、複数のインプレッションを収集部に伝えることを、クライアントデバイスからの１回の通知を使用して容易にする例が、開示されたことが理解されよう。複数のメディアオブジェクトが、クライアントデバイスによって提示されると、メディアオブジェクトのうちの１つは、コレクタメディアオブジェクトとして動作する。コレクタメディアオブジェクトは、クライアントデバイスで同時に提示されるその他のメディアオブジェクトの全てから、メディアオブジェクトパラメータを収集する。このようにして、同時に提示された全てのメディアオブジェクトが、対応するビーコン要求を収集部へ送信する代わりに、コレクタメディアオブジェクトは、その他の提示されたメディアオブジェクトの全てからの収集されたメディアオブジェクト情報の全てを備えた１回のビーコン要求を送信する。このことは、同時に提示されたメディアオブジェクトについて収集部に報告するために、クライアントデバイスによって必要とされるネットワーク帯域幅と通信リソースの量を大幅に減らす。さらに、このことは、様々なメディアオブジェクト間の関係性（例えば、因果関係）を確定することを可能にする。
【０１０８】
[00108]いくつかの方法、装置、システム、及び製品が本明細書に開示されたが、本特許の保護範囲は、それらに限定されるものではない。逆に、本特許は、文字通り又は均等論下で、明確に本特許の特許請求の範囲内にある全ての方法、装置、システム、及び製品を含む。
【図１】
2017504869.tif 000003
【図２】
2017504869.tif 000004
【図３】
2017504869.tif 000005
【図４】
2017504869.tif 000006
【図５】
2017504869.tif 000007
【図６】
2017504869.tif 000008
【図７】
2017504869.tif 000009
【図８】
2017504869.tif 000010
【図９】
2017504869.tif 000011
【図１０】
2017504869.tif 000012
【図１１】
2017504869.tif 000013
【図１２】
2017504869.tif 000014
【国際調査報告】
2017504869.tif 000015
2017504869.tif 000016